(57)【要約】【課題】周波数資源の効率性を高める周波数オーバーレイ通信システム及びその制御方法を提供する。【解決手段】本発明は、予め定められた帯域幅を有する第１の周波数帯域を用いて通信を行う第１の通信システムと、予め定められた帯域幅を有する第２の周波数帯域を用いて通信を行う第２の通信システムと、を含む周波数オーバーレイ通信システムおよびその制御方法を提供し、上記第２の周波数帯域は、第１の周波数帯域を含む。【選択図】図７
2006304312.tif 000002
【特許請求の範囲】
【請求項１】
周波数オーバーレイ通信システムにおいて、
予め定められた帯域幅を有する第１の周波数帯域を用いて通信を行う第１の通信システムと、
予め定められた帯域幅を有する第２の周波数帯域を用いて通信を行う第２の通信システムと、を備え、
前記第２の周波数帯域は、第１の周波数帯域を含むことを特徴とする通信システム。
【請求項２】
前記第２の通信システムは、前記第２の周波数帯域を、前記第１の周波数帯域と、前記第１の周波数帯域に従属する第３の周波数帯域として含むことを特徴とする請求項１に記載の通信システム。
【請求項３】
前記第２の通信システムは、前記第１の周波数帯域と前記第３の周波数帯域との間にあらかじめ設定された保護帯域をさらに含むことを特徴とする請求項２に記載の通信システム。
【請求項４】
前記第１の通信システム及び前記第２の通信システムは、逆高速フーリエ変換を行ってそれぞれ第１の周波数帯域と前記第２の周波数帯域へ信号を送信することを特徴とする請求項２に記載の通信システム。
【請求項５】
前記第１の通信システム及び前記第２の通信システムは、高速フーリエ変換を行ってそれぞれ第１の周波数帯域と前記第２の周波数帯域へ信号を送信することを特徴とする請求項２に記載の通信システム。
【請求項６】
周波数オーバーレイ通信システムの制御方法において、
第１の通信システムが、予め定められた帯域幅を有する第１の周波数帯域を用いて通信を行うステップと、
第２の通信システムが、予め定められた帯域幅を有する第２の周波数帯域を用いて通信を行うステップと、を含み、
前記第２の周波数帯域は、第１の周波数帯域を含むことを特徴とする制御方法。
【請求項７】
前記第２の通信システムが、前記第２の周波数帯域を、前記第１の周波数帯域と、前記第１の周波数帯域に従属する第３の周波数帯域として設定するステップを含むことを特徴とする請求項６に記載の制御方法。
【請求項８】
前記第２の通信システムが、前記第１の周波数帯域と前記第３の周波数帯域との間にあらかじめ設定された保護帯域をさらに設定することを特徴とする請求項７に記載の制御方法。
【請求項９】
前記第１の通信システム及び前記第２の通信システムが、逆高速フーリエ変換を行ってそれぞれ第１の周波数帯域と前記第２の周波数帯域へ信号を送信することを特徴とする請求項７に記載の制御方法。
【請求項１０】
前記第１の通信システム及び前記第２の通信システムが、高速フーリエ変換を行ってそれぞれ第１の周波数帯域と前記第２の周波数帯域へ信号を送信することを特徴とする請求項７に記載の制御方法。
【請求項１１】
予め定められた第１の周波数帯域と、前記第１の周波数帯域を含む第２の周波数帯域と、を用いた周波数オーバーレイ通信システムの送信装置において、
プレアンブルチャンネル信号を生成するプレアンブルチャンネル生成器と、
パイロットチャンネル信号を生成するパイロットチャンネル生成器と、
トラフィックチャンネル信号を生成するトラフィックチャンネル生成器と、
制御チャンネル信号を生成する制御チャンネル生成器と、
転送すべきデータがあった場合、前記データをスケジューリングし、前記第１の周波数帯域に応じてデータを転送すべき周波数帯域を割り当てるスケジューラと、
前記割り当てられた周波数帯域情報に応じて、前記プレアンブルチャンネル信号と、パイロットチャンネル信号と、トラフィックチャンネル信号と、制御チャンネル信号とを多重化し、ダウンリンクチャンネル信号として生成する多重化器と、
前記ダウンリンクチャンネル信号を逆高速フーリエ変換する逆高速フーリエ変換器と、を備えることを特徴とする送信装置。
【請求項１２】
前記第２の周波数帯域は、前記第１の周波数帯域と、前記第１の周波数帯域に従属する第３の周波数帯域と、を含むことを特徴とする請求項１１に記載の送信装置。
【請求項１３】
前記第２の周波数帯域は、前記第１の周波数帯域と前記第３の周波数帯域との間にあらかじめ設定された保護帯域をさらに含むことを特徴とする請求項１２に記載の送信装置。
【請求項１４】
前記逆高速フーリエ変換器は、前記第２の周波数帯域に逆高速フーリエ変換ポイントとしてのＭ−ポイントを適用して前記ダウンリンクチャンネル信号を逆高速フーリエ変換することを特徴とする請求項１２に記載の送信装置。
【請求項１５】
前記プレアンブルチャンネル生成器は、
前記第２の周波数帯域を介して転送される第１のプレアンブルチャンネル信号と、前記第３の周波数帯域を介して転送される第２のプレアンブルチャンネル信号と、を含む前記プレアンブルチャンネル信号を生成することを特徴とする請求項１４に記載の送信装置。
【請求項１６】
前記パイロットチャンネル生成器は、
前記第１の周波数帯域を介して転送される第１のパイロットチャンネル信号と、前記第３の周波数帯域を介して転送される第２のパイロットチャンネル信号と、を含む前記パイロットチャンネル信号を生成することを特徴とする請求項１２に記載の送信装置。
【請求項１７】
前記トラフィックチャンネル生成器は、
前記第１の周波数帯域を介して転送される第１のトラフィックチャンネル信号と、前記第３の周波数帯域を介して転送される第２のトラフィックチャンネル信号と、を含む前記トラフィックチャンネル信号を生成することを特徴とする請求項１２に記載の送信装置。
【請求項１８】
前記制御チャンネル生成器は、
前記第１の周波数帯域を介して転送される第１の制御チャンネル信号と、前記第３の周波数帯域を介して転送される第２の制御チャンネル信号と、を含む前記制御チャンネル信号を生成することを特徴とする請求項１２に記載の送信装置。
【請求項１９】
前記第１の制御チャンネルは、
前記第１の周波数帯域を介して転送され、前記送信装置が前記送信装置に対応する受信装置から前記第１の周波数帯域を介して受信されるランダムアクセスに対して承認する旨を示す情報を含む第３の制御チャンネルと、
前記第１の周波数帯域のダウンリンク周波数帯域割り当て情報を含む第４の制御チャンネルと、
前記第１の周波数帯域のアップリンク周波数帯域割り当て情報を含む第５の制御チャンネルと、
前記受信装置が前記第１の周波数帯域に対してフィードバックすべきチャンネル品質情報量を含む第６の制御チャンネルと、
前記受信装置がスリープモードに存在する場合、前記スリープモードに存在する受信装置をウェークアップする情報を含む第７の制御チャンネルと、を備えることを特徴とする請求項１８に記載の送信装置。
【請求項２０】
前記第２の制御チャンネルは、
前記第３の帯域を介して転送され、前記受信装置が前記第２の周波数帯域を介してランダムアクセスを行うことを許諾する情報を含む第８の制御チャンネルと、
前記第３の周波数帯域を介して転送され、前記第３の周波数帯域を介して前記送信装置が前記受信装置から受信されるランダムアクセスに対して承認する旨を示す情報を含む第９の制御チャンネルと、
前記第３の周波数帯域のダウンリンク周波数帯域割り当て情報を含む第１０の制御チャンネルと、
前記第３の周波数帯域のアップリンク周波数帯域割り当て情報を含む第１１の制御チャンネルと、
前記受信装置が前記第３の周波数帯域に対してフィードバックすべきチャンネル品質情報量を含む第１２の制御チャンネルと、
前記受信装置がスリープモードに存在する場合、前記スリープモードに存在する受信装置をウェークアップする情報を含む第１３の制御チャンネルと、を備えることを特徴とする請求項１２に記載の送信装置。
【請求項２１】
予め定められた第１の周波数帯域と、前記第１の周波数帯域を含む第２の周波数帯域と、を用いる周波数オーバーレイ通信システムの送信方法において、
プレアンブルチャンネル信号を生成するステップと、
パイロットチャンネル信号を生成するステップと、
トラフィックチャンネル信号を生成するステップと、
制御チャンネル信号を生成するステップと、
転送すべきデータがあった場合、前記データをスケジューリングし、前記第２の周波数帯域に応じてその転送すべき周波数帯域を割り当てるステップと、
前記割り当てられた周波数帯域情報に応じて、前記プレアンブルチャンネル信号と、パイロットチャンネル信号と、トラフィックチャンネル信号と、制御チャンネル信号とを多重化してダウンリンクチャンネル信号として生成するステップと、
前記ダウンリンクチャンネル信号を逆高速フーリエ変換するステップと、を含むことを特徴とする送信方法。
【請求項２２】
前記第２の周波数帯域は、前記第１の周波数帯域と、前記第１の周波数帯域に従属する第３の周波数帯域と、を含むことを特徴とする請求項２１に記載の送信方法。
【請求項２３】
前記第２の周波数帯域は、前記第１の周波数帯域と前記第３の周波数帯域との間にあらかじめ設定された保護帯域をさらに含むことを特徴とする請求項２２に記載の送信方法。
【請求項２４】
前記ダウンリンクチャンネル信号を逆高速フーリエ変換するステップは、
前記第２の周波数帯域に逆高速フーリエ変換ポイントとしてのＭ−ポイントを適用して前記ダウンリンクチャンネル信号を逆高速フーリエ変換することを特徴とする請求項２２に記載の送信方法。
【請求項２５】
前記プレアンブルチャンネル信号を生成するステップは、
前記第１の周波数帯域を介して転送される第１のプレアンブルチャンネル信号と、前記第３の周波数帯域を介して転送される第２のプレアンブルチャンネル信号と、を含む前記プレアンブルチャンネル信号を生成することを特徴とする請求項２４に記載の送信方法。
【請求項２６】
前記パイロットチャンネル信号を生成するステップは、
前記第１の周波数帯域を介して転送される第１のパイロットチャンネル信号と、前記第３の周波数帯域を介して転送される第２のパイロットチャンネル信号と、を含む前記パイロットチャンネル信号を生成することを特徴とする請求項２４に記載の送信方法。
【請求項２７】
前記トラフィックチャンネル信号を生成するステップは、
前記第１の周波数帯域を介して転送される第１のトラフィックチャンネル信号と、前記第３の周波数帯域を介して転送される第２のトラフィックチャンネル信号と、を含む前記トラフィックチャンネル信号を生成することを特徴とする請求項２４に記載の送信方法。
【請求項２８】
前記制御チャンネル信号を生成するステップは、
前記第１の周波数帯域を介して転送される第１の制御チャンネル信号と、前記第３の周波数帯域を介して転送される第２の制御チャンネル信号と、を含む前記制御チャンネル信号を生成することを特徴とする請求項２４に記載の送信方法。
【請求項２９】
前記第１の制御チャンネルは、
前記第１の周波数帯域を介して転送され、前記送信装置が前記送信装置に対応する受信装置から前記第１の周波数帯域を介して受信されるランダムアクセスに対して承認する旨を示す情報を含む第３の制御チャンネルと、
前記第１の周波数帯域のダウンリンク周波数帯域割り当て情報を含む第４の制御チャンネルと、
前記第１の周波数帯域のアップリンク周波数帯域割り当て情報を含む第５の制御チャンネルと、
前記受信装置が前記第１の周波数帯域に対してフィードバックすべきチャンネル品質情報量を含む第６の制御チャンネルと、
前記受信装置がスリープモードに存在する場合、前記スリープモードに存在する受信装置をウェークアップする情報を含む第７の制御チャンネルと、を備えることを特徴とする請求項２４に記載の送信方法。
【請求項３０】
前記第２の制御チャンネルは、
前記第３の帯域を介して転送され、前記受信装置が前記第１の周波数帯域を介してランダムアクセスを行うことを許諾する情報を含む第８の制御チャンネルと、
前記第３の周波数帯域を介して転送され、前記送信装置が前記受信装置から前記第３の周波数帯域を介して受信されるランダムアクセスに対して承認する旨を示す情報を含む第９の制御チャンネルと、
前記第３の周波数帯域のダウンリンク周波数帯域割り当て情報を含む第１０の制御チャンネルと、
前記第３の周波数帯域のアップリンク周波数帯域割り当て情報を含む第１１の制御チャンネルと、
前記受信装置が前記第３の周波数帯域に対してフィードバックすべきチャンネル品質情報量を含む第１２の制御チャンネルと、
前記受信装置がスリープモードに存在する場合、前記スリープモードに存在する受信装置をウェークアップする情報を含む第１３の制御チャンネルと、を備えることを特徴とする請求項２１に記載の送信方法。
【請求項３１】
予め定められた第１の周波数帯域と、前記第１の周波数帯域と、を含む第２の周波数帯域を用いる周波数オーバーレイ通信システムの送信装置において、
同期チャンネル信号を生成する同期チャンネル生成器と、
ランダムアクセスチャンネル信号を生成するランダムアクセスチャンネル生成器と、
トラフィックチャンネル信号を生成するトラフィックチャンネル生成器と、
制御チャンネル信号を生成する制御チャンネル生成器と、
前記第２の周波数帯域に応じて予め割り当てられた周波数帯域情報に基づき、前記同期チャンネル信号と、ランダムアクセスチャンネル信号と、トラフィックチャンネル信号と、制御チャンネル信号とを多重化してアップリンクチャンネル信号として生成する多重化器と、
前記アップリンクチャンネル信号を逆高速フーリエ変換する逆高速フーリエ変換器と、を備えることを特徴とする送信装置。
【請求項３２】
前記第２の周波数帯域は、前記第２の周波数帯域と、前記第２の周波数帯域に従属する第３の周波数帯域と、を含むことを特徴とする請求項３１に記載の送信装置。
【請求項３３】
前記第２の周波数帯域は、前記第１の周波数帯域と前記第３の周波数帯域との間にあらかじめ設定された保護帯域をさらに含むことを特徴とする請求項３２に記載の送信装置。
【請求項３４】
前記逆高速フーリエ変換器は、前記第２の周波数帯域に逆高速フーリエ変換ポイントとしてのＭ−ポイントを適用して前記アップリンクチャンネル信号を逆高速フーリエ変換することを特徴とする請求項３２に記載の送信装置。
【請求項３５】
前記同期チャンネル生成器は、
前記第１の周波数帯域を介して転送される第１の同期チャンネル信号と、前記第３の周波数帯域を介して転送される第２の同期チャンネル信号と、を含む前記同期チャンネル信号を生成することを特徴とする請求項３４に記載の送信装置。
【請求項３６】
前記ランダムアクセスチャンネル生成器は、
前記第１の周波数帯域を介して転送される第１のランダムアクセスチャンネル信号と、 第３の周波数帯域を介して転送される第２のランダムアクセスチャンネル信号と、を含む前記ランダムアクセスチャンネル信号を生成することを特徴とする請求項３４に記載の送信装置。
【請求項３７】
前記トラフィックチャンネル生成器は、
前記第１の周波数帯域を介して転送される第１のトラフィックチャンネル信号と、前記第３の周波数帯域を介して転送される第２のトラフィックチャンネル信号を含む前記トラフィックチャンネル信号を生成することを特徴とする請求項２５に記載の送信装置。
【請求項３８】
前記制御チャンネル生成器は、
前記第１の周波数帯域を介して転送される第１の制御チャンネル信号と、第３の周波数帯域を介して転送される第２の制御チャンネル信号と、を含む前記制御チャンネル信号を生成することを特徴とする請求項３４に記載の送信装置。
【請求項３９】
前記第１の制御チャンネルは、
前記第１の周波数帯域を介して転送され、前記送信装置に対応する受信装置から周波数帯域を要求する情報を含む第３の制御チャンネルと、
前記第１の周波数帯域に関するチャンネル品質情報を含む第４の制御チャンネルと、
非周波数オーバーレイ通信システムが複合再転送方式を用いる場合、受信データに関する認知／否定的認知情報を含む第５の制御チャンネルと、
前記受信装置が現在属している送信装置以外の送信装置にハンドオフすることを要求する情報を含む第６の制御チャンネルと、を備えることを特徴とする請求項３８に記載の送信装置。
【請求項４０】
前記第２の制御チャンネルは、
前記第３の周波数帯域を介して転送され、前記送信装置に対応する受信装置から周波数帯域を要求する情報を含む第７の制御チャンネルと、
前記第３の周波数帯域に関するチャンネル品質情報を含む第８の制御チャンネルと、
前記周波数オーバーレイ通信システムが複合再転送方式を用いる場合、受信データに関する認知／否定的認知情報を含む第９の制御チャンネルと、
前記受信装置が現在属している送信装置以外の送信装置にハンドオフすることを要求する情報を含む第１０の制御チャンネルと、を備えることを特徴とする請求項３９に記載の送信装置。
【請求項４１】
予め定められた第１の周波数帯域と、前記第１の周波数帯域と、を含む第２の周波数帯域を用いる周波数オーバーレイ通信システムの送信方法において、
同期チャンネル信号を生成するステップと、
ランダムアクセスチャンネル信号を生成するステップと、
トラフィックチャンネル信号を生成するステップと、
制御チャンネル信号を生成するステップと、
前記第２の周波数帯域に応じて予め割り当てられた周波数帯域情報に基づき、前記同期チャンネル信号と、ランダムアクセスチャンネル信号と、トラフィックチャンネル信号と、制御チャンネル信号とを多重化してアップリンクチャンネル信号として生成するステップと、
前記アップリンクチャンネル信号を逆高速フーリエ変換するステップと、を含むことを特徴とする送信方法。
【請求項４２】
前記第２の周波数帯域は、前記第１の周波数帯域と、前記第１の周波数帯域に従属する第３の周波数帯域と、を含むことを特徴とする請求項４１に記載の送信方法。
【請求項４３】
前記第２の周波数帯域は、前記第１の周波数帯域と前記第３の周波数帯域との間にあらかじめ設定された保護帯域をさらに含むことを特徴とする請求項４２に記載の送信方法。
【請求項４４】
前記逆高速フーリエ変換された信号を無線周波数処理して送信するステップをさらに含むことを特徴とする請求項４２に記載の送信方法。
【請求項４５】
前記アップリンクチャンネル信号を逆高速フーリエ変換するステップは、
前記第２の周波数帯域に逆高速フーリエ変換ポイントとしてのＭ−ポイントを適用して前記アップリンクチャンネル信号を逆高速フーリエ変換することを特徴とする請求項４４に記載の送信方法。
【請求項４６】
前記同期チャンネル信号を生成するステップは、
前記第１の周波数帯域を介して転送される第１の同期チャンネル信号と、前記第３の周波数帯域を介して転送される第２の同期チャンネル信号と、を含む前記同期チャンネル信号を生成することを特徴とする請求項３５に記載の送信方法。
【請求項４７】
前記ランダムアクセスチャンネル信号を生成するステップは、
前記第１の周波数帯域を介して転送される第１のランダムアクセスチャンネル信号と、前記第３の周波数帯域を介して転送される第２のランダムアクセスチャンネル信号と、を含む前記ランダムアクセスチャンネル信号を生成することを特徴とする請求項４５に記載の送信方法。
【請求項４８】
前記トラフィックチャンネル信号を生成するステップは、
前記第１の周波数帯域を介して転送される第１のトラフィックチャンネル信号と、前記第３の周波数帯域を介して転送される第２のトラフィックチャンネル信号と、を含む前記トラフィックチャンネル信号を生成することを特徴とする請求項４５に記載の送信方法。
【請求項４９】
前記制御チャンネル信号を生成するステップは、
前記第１の周波数帯域を介して転送される第１の制御チャンネル信号と、前記第３の周波数帯域を介して転送される第２の制御チャンネル信号と、を含む前記制御チャンネル信号を生成することを特徴とする請求項４５に記載の送信方法。
【請求項５０】
前記第１の制御チャンネルは、
前記第１の周波数帯域を介して転送され、前記送信装置に対応する受信装置から周波数帯域を要求する情報を含む第３の制御チャンネルと、
前記第１の周波数帯域に関するチャンネル品質情報を含む第４の制御チャンネルと、
非周波数オーバーレイ通信システムが複合再転送方式を用いる場合、受信データに関する認知／否定的認知情報を含む第５の制御チャンネルと、
前記受信装置が現在属している送信装置以外の送信装置にハンドオフすることを要求する情報を含む第６の制御チャンネルと、を備えることを特徴とする請求項４９に記載の送信方法。
【請求項５１】
前記第２の制御チャンネルは、
前記第３の周波数帯域を介して転送され、前記送信装置に対応する受信装置から周波数帯域を要求する情報を含む第７の制御チャンネルと、
前記第３の周波数帯域に関するチャンネル品質情報を含む第８の制御チャンネルと、
前記周波数オーバーレイ通信システムが複合再転送方式を用いる場合、受信データに関する認知／否定的認知情報を含む第９の制御チャンネルと、
前記受信装置が現在属している送信装置以外の送信装置にハンドオフすることを要求する情報を含む第１０の制御チャンネルと、を備えることを特徴とする請求項５０に記載の送信方法。
【請求項５２】
予め定められた第１の周波数帯域と、前記第１の周波数帯域と、を含む第２の周波数帯域を用いる周波数オーバーレイ通信システムの受信装置において、
受信信号を高速フーリエ変換する高速フーリエ変換器と、
前記高速フーリエ変換された受信信号を予め割り当てられている周波数帯域情報に応じて逆多重化し、プレアンブルチャンネル信号と、パイロットチャンネル信号と、トラフィックチャンネル信号と、制御チャンネル信号として出力する逆多重化器と、を備えることを特徴とする受信装置。
【請求項５３】
前記第２の周波数帯域は、前記第１の周波数帯域と、前記第１の周波数帯域に従属する第３の周波数帯域と、を含むことを特徴とする請求項５２に記載の受信装置。
【請求項５４】
前記第２の周波数帯域は、前記第１の周波数帯域と前記第３の周波数帯域との間にあらかじめ設定された保護帯域をさらに含むことを特徴とする請求項５３に記載の受信装置。
【請求項５５】
前記プレアンブルチャンネル信号は、前記第１の周波数帯域を介して受信される第１のプレアンブルチャンネル信号と、前記第３の周波数帯域を介して受信される第２のプレアンブルチャンネル信号と、を含むことを特徴とする請求項５３に記載の受信装置。
【請求項５６】
前記パイロットチャンネル信号は、前記第１の周波数帯域を介して受信される第１のパイロットチャンネル信号と、前記第３の周波数帯域を介して受信される第２のパイロットチャンネル信号と、を含むことを特徴とする請求項４３に記載の受信装置。
【請求項５７】
前記トラフィックチャンネル信号は、前記第１の周波数帯域を介して受信される第１のトラフィックチャンネル信号と、前記第３の周波数帯域を介して受信される第２のトラフィックチャンネル信号と、を含むことを特徴とする請求項５３に記載の受信装置。
【請求項５８】
前記制御チャンネル信号は、前記第１の周波数帯域を介して受信される第１の制御チャンネル信号と、前記第３の周波数帯域を介して受信される第２の制御チャンネル信号と、を含むことを特徴とする請求項４３に記載の受信装置。
【請求項５９】
前記第１の制御チャンネルは信号は、
前記第１の周波数帯域を介して受信され、前記第１の周波数帯域を介して前記受信装置が該受信装置に対応する送信装置に転送するランダムアクセスに対して承認する旨を示す情報を含む第３の制御チャンネル信号と、
前記第１の周波数帯域のダウンリンク周波数帯域割り当て情報を含む第４の制御チャンネル信号と、
前記第１の周波数帯域のアップリンク周波数帯域割り当て情報を含む第５の制御チャンネル信号と、
前記受信装置が前記第１の周波数帯域に対してフィードバックすべきチャンネル品質情報量を含む第６の制御チャンネル信号と、
前記受信装置がスリープモードに存在する場合、ウェークアップを行う情報を含む第７の制御チャンネル信号と、を含むことを特徴とする請求項５８に記載の受信装置。
【請求項６０】
前記第２の制御チャンネル信号は、
前記第３の帯域を介して受信され、前記第１の周波数帯域を介してランダムアクセスを行うことを許諾する情報を含む第８の制御チャンネル信号と、
前記第３の周波数帯域を介して受信され、前記第３の周波数帯域を介して転送するランダムアクセスに対して承認する旨を示す情報を含む第９の制御チャンネル信号と、
前記第３の周波数帯域のダウンリンク周波数帯域割り当て情報を含む第１０の制御チャンネル信号と、
前記第３の周波数帯域のアップリンク周波数帯域割り当て情報を含む第１１の制御チャンネル信号と、
前記第３の周波数帯域に対してフィードバックすべきチャンネル品質情報量を含む第１２の制御チャンネル信号と、
前記スリープモードに存在する場合、ウェークアップを行う情報を含む第１３の制御チャンネル信号と、を含むことを特徴とする請求項４８に記載の受信装置。
【請求項６１】
予め定められた第１の周波数帯域と、前記第１の周波数帯域と、を含む第２の周波数帯域を用いる周波数オーバーレイ通信システムの受信方法において、
受信信号を高速フーリエ変換するステップと、
前記高速フーリエ変換された受信信号を予め割り当てられている周波数帯域情報に応じて逆多重化し、プレアンブルチャンネル信号と、パイロットチャンネル信号と、トラフィックチャンネル信号と、制御チャンネル信号として出力するステップと、を含むことを特徴とする受信方法。
【請求項６２】
前記第２の周波数帯域は、前記第１の周波数帯域と、前記第１の周波数帯域に従属する第３の周波数帯域と、を含むことを特徴とする請求項６１に記載の受信方法。
【請求項６３】
前記第２の周波数帯域は、前記第１の周波数帯域と前記第３の周波数帯域との間にあらかじめ設定された保護帯域をさらに含むことを特徴とする請求項６２に記載の受信方法。
【請求項６４】
前記プレアンブルチャンネル信号は、前記第１の周波数帯域を介して受信される第１のプレアンブルチャンネル信号と、前記第３の周波数帯域を介して受信される第２のプレアンブルチャンネル信号と、を含むことを特徴とする請求項６２に記載の受信方法。
【請求項６５】
前記パイロットチャンネル信号は、前記第１の周波数帯域を介して受信される第１のパイロットチャンネル信号と、前記第３の周波数帯域を介して受信される第２のパイロットチャンネル信号と、を含むことを特徴とする請求項６２に記載の受信方法。
【請求項６６】
前記トラフィックチャンネル信号は、前記第１の周波数帯域を介して受信される第１のトラフィックチャンネル信号と、前記第３の周波数帯域を介して受信される第２のトラフィックチャンネル信号と、を含むことを特徴とする請求項６２に記載の受信方法。
【請求項６７】
前記制御チャンネル信号は、前記第１の周波数帯域を介して受信される第１の制御チャンネル信号と、前記第３の周波数帯域を介して受信される第２の制御チャンネル信号と、を含むことを特徴とする請求項６２に記載の受信方法。
【請求項６８】
前記第１の制御チャンネルは信号は、
前記第１の周波数帯域を介して受信され、送信装置から前記第１の周波数帯域を介して転送するランダムアクセスに対して承認する旨を示す情報を含む第３の制御チャンネル信号と、
前記第１の周波数帯域のダウンリンク周波数帯域割り当て情報を含む第４の制御チャンネル信号と、
前記第１の周波数帯域のアップリンク周波数帯域割り当て情報を含む第５の制御チャンネル信号と、
前記第１の周波数帯域に対してフィードバックすべきチャンネル品質情報量を含む第６の制御チャンネル信号と、
スリープモードに存在する場合、ウェークアップを行う情報を含む第７の制御チャンネル信号と、含むことを特徴とする請求項６７に記載の受信方法。
【請求項６９】
前記第２の制御チャンネル信号は、
前記第３の帯域を介して受信され、前記第２の周波数帯域を介してランダムアクセスを行うことを許諾する情報を含む第８の制御チャンネル信号と、
前記第３の周波数帯域を介して受信され、前記第３の周波数帯域を介して転送するランダムアクセスに対して承認する旨を示す情報を含む第９の制御チャンネル信号と、
前記第３の周波数帯域のダウンリンク周波数帯域割り当て情報を含む第１０の制御チャンネル信号と、
前記第３の周波数帯域のアップリンク周波数帯域割り当て情報を含む第１１の制御チャンネル信号と、
前記第３の周波数帯域に対してフィードバックすべきチャンネル品質情報量を含む第１２の制御チャンネル信号と、
前記スリープモードに存在する場合、ウェークアップを行う情報を含む第１３の制御チャンネル信号を含むことを特徴とする請求項６８に記載の受信方法。
【請求項７０】
予め定められた第１の周波数帯域と、前記第１の周波数帯域と、を含む第２の周波数帯域を用いる周波数オーバーレイ通信システムの受信装置において、
受信信号を高速フーリエ変換する高速フーリエ変換器と、
前記高速フーリエ変換された受信信号を予め割り当てられている周波数帯域情報に応じて逆多重化し、同期チャンネル信号と、ランダムアクセスチャンネル信号と、トラフィックチャンネル信号と、制御チャンネル信号として出力する逆多重化器と、含み、
前記第２の周波数帯域は、前記第１の周波数帯域と、前記第１の周波数帯域に従属する第３の周波数帯域を含むことを特徴とする受信装置。
【請求項７１】
前記第２の周波数帯域は、前記第１の周波数帯域と前記第３の周波数帯域との間に予め定められた保護帯域と、をさらに含むことを特徴とする請求項７０に記載の受信装置。
【請求項７２】
前記同期チャンネル信号は、前記第１の周波数帯域を介して受信される第１の同期チャンネル信号と、前記第３の周波数帯域を介して転送される第２の同期チャンネル信号と、を含むことを特徴とする請求項７０に記載の受信装置。
【請求項７３】
前記ランダムアクセスチャンネル信号は、前記第１の周波数帯域を介して受信される第１のランダムアクセスチャンネル信号と、前記第３の周波数帯域を介して受信される第２のランダムアクセスチャンネル信号と、を含むことを特徴とする請求項７０に記載の受信装置。
【請求項７４】
前記トラフィックチャンネル信号は、前記第１の周波数帯域を介して受信される第１のトラフィックチャンネル信号と、前記第３の周波数帯域を介して受信される第２のトラフィックチャンネル信号と、を含むことを特徴とする請求項７３に記載の受信装置。
【請求項７５】
前記制御チャンネル信号は、前記第１の周波数帯域を介して受信される第１の制御チャンネル信号と、前記第３の周波数帯域を介して受信される第２の制御チャンネル信号と、を含むことを特徴とする請求項７４に記載の受信装置。
【請求項７６】
前記第１の制御チャンネル信号は、
前記第１の周波数帯域を介して受信され、送信装置に周波数帯域を要求する情報を含む第３の制御チャンネル信号と、
前記第１の周波数帯域に関するチャンネル品質情報を含む第４の制御チャンネル信号と、
非周波数オーバーレイ通信システムが複合再転送方式を用いる場合、受信データに関する認知／否定的認知情報を含む第５の制御チャンネル信号と、
前記送信装置に対応する受信装置が現在属している送信装置以外の送信装置にハンドオフすることを要求する情報を含む第６の制御チャンネル信号と、を含むことを特徴とする請求項６３に記載の受信装置。
【請求項７７】
前記第２の制御チャンネル信号は、
前記第３の周波数帯域を介して受信され、前記送信装置に周波数帯域を要求する情報を含む第７の制御チャンネル信号と、
前記第３の周波数帯域に関するチャンネル品質情報を含む第８の制御チャンネル信号と、
前記周波数オーバーレイ通信システムが複合再転送方式を用いる場合、受信データに関する認知／否定的認知情報を含む第９の制御チャンネル信号と、
前記受信装置が現在属している送信装置以外の送信装置にハンドオフすることを要求する情報を含む第１０の制御チャンネル信号と、を含むことを特徴とする請求項７６に記載の受信装置。
【請求項７８】
予め定められた第１の周波数帯域と、前記第１の周波数帯域と、を含む第２の周波数帯域を用いる周波数オーバーレイ通信システムの受信方法において、
受信信号を高速フーリエ変換するステップと、
前記高速フーリエ変換された受信信号を予め割り当てられている周波数帯域情報に応じて逆多重化し、同期チャンネル信号と、ランダムアクセスチャンネル信号と、トラフィックチャンネル信号と、制御チャンネル信号として出力するステップと、を含み、
前記第２の周波数帯域は、前記第１の周波数帯域と、前記第１の周波数帯域に従属される第３の周波数帯域を含むことを特徴とする受信方法。
【請求項７９】
前記第２の周波数帯域は、前記第１の周波数帯域と前記第３の周波数帯域との間に予め定められた保護帯域と、をさらに含むことを特徴とする請求項７８に記載の受信方法。
【請求項８０】
前記同期チャンネル信号は、前記第１の周波数帯域を介して受信される第１の同期チャンネル信号と、第３の周波数帯域を介して転送される第２の同期チャンネル信号と、を含むことを特徴とする請求項７８に記載の受信方法。
【請求項８１】
前記ランダムアクセスチャンネル信号は、前記第１の周波数帯域を介して受信される第１のランダムアクセスチャンネル信号と、前記第３の周波数帯域を介して受信される第２のランダムアクセスチャンネル信号と、を含むことを特徴とする請求項７８に記載の受信方法。
【請求項８２】
前記トラフィックチャンネル信号は、前記第１の周波数帯域を介して受信される第１のトラフィックチャンネル信号と、前記第３の周波数帯域を介して受信される第２のトラフィックチャンネル信号と、を含むことを特徴とする請求項７８に記載の受信方法。
【請求項８３】
前記制御チャンネル信号は、前記第１の周波数帯域を介して受信される第１の制御チャンネル信号と、
前記第３の周波数帯域を介して受信される第２の制御チャンネル信号と、を含むことを特徴とする請求項７８に記載の受信方法。
【請求項８４】
前記第１の制御チャンネル信号は、
前記第１の周波数帯域を介して受信され、前記送信装置に周波数帯域を要求する情報を含む第３の制御チャンネル信号と、
前記第１の周波数帯域に関するチャンネル品質情報を含む第４の制御チャンネル信号と、
非周波数オーバーレイ通信システムが複合再転送方式を用いる場合、受信データに関する認知／否定的認知情報を含む第５の制御チャンネル信号と、
前記受信装置が現在属している送信装置以外の送信装置にハンドオフすることを要求する情報を含む第６の制御チャンネル信号と、を含むことを特徴とする請求項８３に記載の受信方法。
【請求項８５】
前記第２の制御チャンネル信号は、
前記第３の周波数帯域を介して受信され、前記送信装置に周波数帯域を要求する情報を含む第７の制御チャンネル信号と、
前記第３の周波数帯域に関するチャンネル品質情報を含む第８の制御チャンネル信号と、
前記周波数オーバーレイ通信システムが複合再転送方式を用いる場合、受信データに関する認知／否定的認知情報を含む第９の制御チャンネル信号と、
前記受信装置が現在属している送信装置以外の送信装置にハンドオフすることを要求する情報を含む第１０の制御チャンネル信号と、を含むことを特徴とする請求項８４に記載の受信方法。
【請求項８６】
予め定められた第１の周波数帯域と、前記第１の周波数帯域を含む第２の周波数帯域と、を用いる周波数オーバーレイ通信システムにおけるセルの獲得方法において、
前記第１の周波数帯域を介して受信される第１のプレアンブル信号を受信するステップと、
前記第１のプレアンブル信号の受信パワーが予め定められた受信パワーを超える場合、前記第２の周波数帯域を介してサービスを提供する第１の基地局のセル獲得を行うステップと、
前記第１のプレアンブル信号の受信パワーが前記予め定められた受信パワーを超えていない場合、前記第１の周波数帯域を介してサービスを提供する第２の基地局のセル獲得を行うステップと、を含むことを特徴とするセルの獲得方法。
【請求項８７】
前記第１の基地局のセル獲得を行った後、前記第１の基地局へのランダムアクセスを行うステップをさらに含むことを特徴とする請求項８６に記載のセルの獲得方法。
【請求項８８】
前記第２の基地局のセル獲得を行った後、前記第２の基地局へのランダムアクセスを行うステップをさらに含むことを特徴とする請求項８７に記載のセルの獲得方法。
【請求項８９】
前記第１の基地局のセル獲得を行うステップは、
前記第２の周波数帯域を介して受信される第１のパイロットチャンネル信号を用いて前記第１の基地局のセル獲得を行うことを特徴とする請求項８８に記載のセルの獲得方法。
【請求項９０】
前記第２の基地局のセル獲得を行うステップは
前記第１の周波数帯域を介して受信される第２のパイロットチャンネル信号を用いて前記第２の基地局のセル獲得を行うことを特徴とする請求項８９に記載のセルの獲得方法。
【請求項９１】
前記第１のプリアンブル信号は、逆高速フーリエ変換を行って、前記第１の周波数帯域で受信されることを特徴とする請求項８６に記載のセル獲得方法。
【請求項９２】
前記第１のプリアンブル信号は、高速フーリエ変換を行って、前記第１の周波数帯域で受信されることを特徴とする請求項８６に記載のセル獲得方法。
【請求項９３】
あらかじめ設定されている第１の周波数帯域と、前記第１の周波数帯域を含む第２の周波数帯域を使用する周波数オーバーレイ通信システムのフレーム構造提供方法において、
前記第１の周波数帯域を使用する第１の通信システムのフレームを設定し、
前記第１の周波数帯域と前記第１の周波数帯域に従属される第３の周波数帯域を含む前記第２の周波数帯域を使用する第２の通信システムのフレームを設定することを特徴とするフレーム提供方法。
【請求項９４】
前記第３の周波数帯域は、前記第１の周波数帯域と同一の時区間と周波数帯域を有することを特徴とする請求項９３に記載のフレーム提供方法。
【請求項９５】
前記第２の周波数帯域は、前記第１の周波数帯域と前記第３の周波数帯域との間にあらかじめ設定された保護帯域をさらに含むことを特徴とする請求項９４に記載のフレーム提供方法。
【請求項９６】
前記第２の通信システムのフレームは、ダウンリンクフレームであることを特徴とする請求項９３に記載のフレーム提供方法。
【請求項９７】
前記第２の通信システムのフレームは、プリアンブルチャンネルを含むことを特徴とする請求項９６に記載のフレーム提供方法。
【請求項９８】
前記プリアンブルチャンネルは、前記第１の周波数帯域での第１のプリアンブルチャンネルと前記第３の周波数帯域での第２のプリアンブルチャンネルとを含むことを特徴とする請求項９７に記載のフレーム提供方法。
【請求項９９】
前記第２のプリアンブルチャンネルは、前記第１のプリアンブルチャンネルと同一の時区間と周波数帯域を有することを特徴とする請求項９８に記載のフレーム提供方法。
【請求項１００】
前記第２のプリアンブルチャンネルの位置は、前記第１のプリアンブルチャンネルの位置と時間領域と周波数帯域とで同一であることを特徴とする請求項９９に記載のフレーム提供方法。
【請求項１０１】
前記第１の通信システム及び前記第２の通信システムが逆高速フーリエ変換を行って、それぞれ前記第１の周波数帯域及び前記第２の周波数帯域へ信号を送信することを特徴とする請求項１００に記載のフレーム提供方法。
【請求項１０２】
前記第１の通信システム及び前記第２の通信システムが高速フーリエ変換を行って、それぞれ前記第１の周波数帯域及び前記第２の周波数帯域へ信号を送信することを特徴とする請求項１００に記載のフレーム提供方法。
【請求項１０３】
前記第２の通信システムのフレームは、パイロットチャンネルを含むことを特徴とする請求項９６に記載のフレーム提供方法。
【請求項１０４】
前記パイロットチャンネルは、前記第１の通信システムが使用する第１のパイロットチャンネルと前記第１のパイロットチャンネルに従属される第２のパイロットチャンネルとを含むことを特徴とする請求項１０３に記載のフレーム提供方法。
【請求項１０５】
前記第１の通信システム及び前記第２の通信システムが、逆高速フーリエ変換を行って、それぞれ前記第１の周波数帯域と前記第２の周波数帯域へ信号を送信することを特徴とする請求項１０４に記載のフレーム提供方法。
【請求項１０６】
前記第１の通信システム及び前記第２の通信システムが、高速フーリエ変換を行って、それぞれ前記第１の周波数帯域と前記第２の周波数帯域へ信号を送信することを特徴とする請求項１０４に記載のフレーム提供方法。
【請求項１０７】
前記第２の通信システムのフレームは、トラヒックチャンネルを含むことを特徴とする請求項９６に記載のフレーム提供方法。
【請求項１０８】
前記トラヒックチャンネルは、前記第１の通信システムが使用する第１のトラヒックチャンネルと前記第１のトラヒックチャンネルに従属される第２のトラヒックチャンネルとを含むことを特徴とする請求項１０７に記載のフレーム提供方法。
【請求項１０９】
前記第１の通信システム及び前記第２の通信システムが、逆高速フーリエ変換を行って、それぞれ前記第１の周波数帯域と前記第２の周波数帯域へ信号を送信することを特徴とする請求項１０８に記載のフレーム提供方法。
【請求項１１０】
前記第１の通信システム及び前記第２の通信システムが、高速フーリエ変換を行って、それぞれ前記第１の周波数帯域と前記第２の周波数帯域へ信号を送信することを特徴とする請求項１０８に記載のフレーム提供方法。
【請求項１１１】
前記第２の通信システムのフレームは、制御チャンネルを含むことを特徴とする請求項９６に記載のフレーム提供方法。
【請求項１１２】
前記パイロットチャンネルは、前記第１の通信システムが使用する第１の制御チャンネルと前記第１の制御チャンネルに従属される第２の制御チャンネルとを含むことを特徴とする請求項１１１に記載のフレーム提供方法。
【請求項１１３】
前記第１の通信システム及び前記第２の通信システムが、逆高速フーリエ変換を行って、それぞれ前記第１の周波数帯域と前記第２の周波数帯域へ信号を送信することを特徴とする請求項１１２に記載のフレーム提供方法。
【請求項１１４】
前記第１の通信システム及び前記第２の通信システムが、高速フーリエ変換を行って、それぞれ前記第１の周波数帯域と前記第２の周波数帯域へ信号を送信することを特徴とする請求項１１２に記載のフレーム提供方法。
【請求項１１５】
前記第２の通信システムのフレームは、アップリンクフレームであることを特徴とする請求項９３に記載のフレーム提供方法。
【請求項１１６】
前記第２の通信システムのフレームは、同期チャンネルを含むことを特徴とする請求項１１５に記載のフレーム提供方法。
【請求項１１７】
前記同期チャンネルは、前記第１の通信システムが使用する第１の同期チャンネルと前記第１の同期チャンネルに従属される第２の同期チャンネルとを含むことを特徴とする請求項１１６に記載のフレーム提供方法。
【請求項１１８】
前記第１の通信システム及び前記第２の通信システムが、逆高速フーリエ変換を行って、それぞれ前記第１の周波数帯域と前記第２の周波数帯域へ信号を送信することを特徴とする請求項１１７に記載のフレーム提供方法。
【請求項１１９】
前記第１の通信システム及び前記第２の通信システムが、高速フーリエ変換を行って、それぞれ前記第１の周波数帯域と前記第２の周波数帯域へ信号を送信することを特徴とする請求項１１７に記載のフレーム提供方法。
【請求項１２０】
前記第２の通信システムのフレームは、ランダムアクセスチャンネルを含むことを特徴とする請求項１１５に記載のフレーム提供方法。
【請求項１２１】
前記ランダムアクセスチャンネルは、前記第１の通信システムが使用する第１のランダムアクセスチャンネルと前記第１のランダムアクセスチャンネルに従属される第２のランダムアクセスチャンネルとを含むことを特徴とする請求項１２０に記載のフレーム提供方法。
【請求項１２２】
前記第１の通信システム及び前記第２の通信システムが、逆高速フーリエ変換を行って、それぞれ前記第１の周波数帯域と前記第２の周波数帯域へ信号を送信することを特徴とする請求項１２１に記載のフレーム提供方法。
【請求項１２３】
前記第１の通信システムと前記第２の通信システムが、高速フーリエ変換してそれぞれ前記第１の周波数帯域と前記第２の周波数帯域に信号を伝送することを特徴とする請求項１２１に記載のフレーム提供方法。
【請求項１２４】
前記第２の通信システムのフレームは、トラフィックチャンネルを含むことを特徴とする請求項１１５に記載のフレーム提供方法。
【請求項１２５】
前記トラフィックチャンネルは、前記第１の通信システムが使用する第１のトラフィックチャンネルと、前記第１のトラフィックチャンネルに従属される第２のトラフィックチャンネルと、を含むことを特徴とする請求項１２４に記載のフレーム提供方法。
【請求項１２６】
前記第１の通信システムと前記第２の通信システムが、逆高速フーリエ変換してそれぞれ前記第１の周波数帯域と前記第２の周波数帯域に信号を伝送することを特徴とする請求項１２５に記載のフレーム提供方法。
【請求項１２７】
前記第１の通信システムと前記第２の通信システムが、高速フーリエ変換してそれぞれ前記第１の周波数帯域と前記第２の周波数帯域に信号を伝送することを特徴とする請求項１２５に記載のフレーム提供方法。
【請求項１２８】
前記第２の通信システムのフレームは、制御チャンネルを含むことを特徴とする請求項１１５に記載のフレーム提供方法。
【請求項１２９】
前記制御チャンネルは、前記第１の通信システムが使用する第１の制御チャンネルと、前記第１の制御チャンネルに従属される第２の制御チャンネルと、を含むことを特徴とする請求項１２８に記載のフレーム提供方法。
【請求項１３０】
前記第１の通信システムと前記第２の通信システムが、逆高速フーリエ変換してそれぞれ前記第１の周波数帯域と前記第２の周波数帯域に信号を伝送することを特徴とする請求項１２９に記載のフレーム提供方法。
【請求項１３１】
前記第１の通信システムと前記第２の通信システムが、高速フーリエ変換してそれぞれ前記第１の周波数帯域と前記第２の周波数帯域に信号を伝送することを特徴とする請求項１２９に記載のフレーム提供方法。
【請求項１３２】
前記第１の通信システムと前記第２の通信システムが、逆高速フーリエ変換してそれぞれ前記第１の周波数帯域と前記第２の周波数帯域に信号を伝送することを特徴とする請求項９３に記載のフレーム提供方法。
【請求項１３３】
前記第１の通信システムと前記第２の通信システムが、高速フーリエ変換してそれぞれ前記第１の周波数帯域と前記第２の周波数帯域に信号を伝送することを特徴とする請求項９３に記載のフレーム提供方法。
【請求項１３４】
予め定められた第１の周波数帯域と、前記第１の周波数帯域と、を含む第２の周波数帯域を用いる周波数オーバーレイ通信システムの制御方法において、
移動端末機がセルを獲得した場合、ランダムアクセスチャンネル信号を用いて基地局へのランダムアクセスを行い、前記基地局からランダムアクセスを承認された場合、前記ランダムアクセスを承認した基地局に資源の割り当てを要求するステップと、
基地局が、前記要求された資源の割り当て要求に応えて、前記第２の周波数帯域からの遊休資源を割り当てるステップと、を含むことを特徴とする制御方法。
【請求項１３５】
前記第２の周波数帯域は、前記第１の周波数帯域と、前記第１の周波数帯域に従属する第３の周波数帯域とを含むことを特徴とする請求項１３４に記載の制御方法。
【請求項１３６】
前記第２の周波数帯域は、前記第１の周波数帯域と前記第３の周波数帯域との間にあらかじめ設定された保護帯域をさらに含むことを特徴とする請求項１３５に記載の制御方法。
【請求項１３７】
前記ランダムアクセスチャンネル信号は、前記第１の周波数帯域を介して受信される第１のランダムアクセスチャンネル信号と、前記第３の周波数帯域を介して受信される第２のランダムアクセスチャンネル信号と、を含むことを特徴とする請求項１３５に記載の制御方法。
【請求項１３８】
前記基地局からランダムアクセスを承認されるステップは、
前記基地局が、第１のランダムアクセスチャンネルと、第２のランダムアクセスチャンネルと、第３のランダムアクセスチャンネルと、においてランダムアクセスを行う移動端末機の衝突頻度に応じて承認することを特徴とする請求項１３７に記載の制御方法。
【請求項１３９】
前記ランダムアクセスを承認した基地局に資源の割り当てを要求するステップは、
制御チャンネル信号を用いて資源の割り当てを要求することを特徴とする請求項１３５に記載の制御方法。
【請求項１４０】
前記制御チャンネル信号は、前記第１の周波数帯域を介して受信される第１の制御チャンネル信号と、前記第３の周波数帯域を介して受信される第２の制御チャンネル信号と、を含むことを特徴とする請求項１３９に記載の制御方法。
【請求項１４１】
前記第１の制御チャンネル信号は、
前記第１の周波数帯域を介して受信され、前記基地局に資源の割り当てを要求する情報を含む第３の制御チャンネル信号と、
前記第１の周波数帯域に関するチャンネル品質情報を含む第４の制御チャンネル信号と、
非周波数オーバーレイ通信システムが複合再転送方式を用いる場合、受信データに関する認知／否定的認知情報を含む第５の制御チャンネル信号と、
前記移動端末機が現在属している基地局以外の基地局にハンドオフすることを要求する情報を含む第６の制御チャンネル信号と、を含むことを特徴とする請求項１４０に記載の制御方法。
【請求項１４２】
前記第２の制御チャンネル信号は、
前記第３の周波数帯域を介して受信され、前記基地局に資源の割り当てを要求する情報を含む第７の制御チャンネル信号と、
前記第３の周波数帯域に関するチャンネル品質情報を含む第８の制御チャンネル信号と、
前記周波数オーバーレイ通信システムが複合再転送方式を用いる場合、受信データに関する認知／否定的認知情報を含む第９の制御チャンネル信号と、
前記移動端末機が現在属している基地局以外の送信器にハンドオフすることを要求する情報を含む第１０の制御チャンネル信号と、を含むことを特徴とする請求項１４１に記載の制御方法。
【請求項１４３】
前記移動端末機がセルを獲得するステップは、
前記第２の周波数帯域を介して受信される第１のパイロットチャンネル信号を用いて前記基地局のセルを獲得することを特徴とする請求項１３４に記載の制御方法。
【請求項１４４】
前記移動端末機がセルを獲得するステップは、
前記第１の周波数帯域を介して受信される第２のパイロットチャンネル信号を用いて前記送信器のセルを獲得することを特徴とする請求項１４３に記載の制御方法。
【請求項１４５】
前記信号が逆高速フーリエ変換を行って、前記第１の周波数帯域と前記第２の周波数帯域とを介して送信されることを特徴とする請求項１３４に記載の制御方法。
【請求項１４６】
前記信号が高速フーリエ変換を行って、前記第１の周波数帯域と前記第２の周波数帯域とを介して受信されることを特徴とする請求項１３４に記載の制御方法。
【請求項１４７】
予め定められた第１の周波数帯域と、前記第１の周波数帯域と、を含む第２の周波数帯域を用いる周波数オーバーレイ通信システムにおいて、
セルを獲得した場合、ランダムアクセスチャンネル信号を用いて基地局へのランダムアクセスを行い、前記基地局からランダムアクセスを承認された場合、前記ランダムアクセスを承認した基地局に資源の割り当てを要求する移動端末機と、
前記移動端末機の資源の割り当ての要求に応えて、前記第２の周波数帯域からの遊休資源を割り当てる基地局と、を備えることを特徴とするシステム。
【請求項１４８】
前記第２の周波数帯域は、前記第１の周波数帯域と、前記第１の周波数帯域に従属する第３の周波数帯域と、を含むことを特徴とする請求項１４７に記載の通信システム。
【請求項１４９】
前記第２の周波数帯域は、前記第１の周波数帯域と前記第３の周波数帯域との間にあらかじめ設定された保護帯域をさらに含むことを特徴とする請求項１４８に記載の通信システム。
【請求項１５０】
前記ランダムアクセスチャンネル信号は、前記第１の周波数帯域を介して受信される第１のランダムアクセスチャンネル信号と、前記第３の周波数帯域を介して受信される第２のランダムアクセスチャンネル信号と、を含むことを特徴とする請求項１４８に記載の通信システム。
【請求項１５１】
前記基地局は、第１のランダムアクセスチャンネルと、第２のランダムアクセスチャンネルと、第３のランダムアクセスチャンネルにおいてランダムアクセスを行う移動端末機の衝突頻度に応じて前記ランダムアクセスを承認することを特徴とする請求項１５０に記載の通信システム。
【請求項１５２】
前記移動端末機は、制御チャンネル信号を用いて前記ランダムアクセスを承認した基地局に資源の割り当てを要求することを特徴とする請求項１４８に記載の通信システム。
【請求項１５３】
前記制御チャンネル信号は、前記第１の周波数帯域を介して受信される第１の制御チャンネル信号と、前記第３の周波数帯域を介して受信される第２の制御チャンネル信号と、を含むことを特徴とする請求項１５１に記載の通信システム。
【請求項１５４】
前記第１の制御チャンネル信号は、
前記第１の周波数帯域を介して受信され、基地局に資源の割り当てを要求する情報を含む第３の制御チャンネル信号と、
前記第１の周波数帯域に関するチャンネル品質情報を含む第４の制御チャンネル信号と、
非周波数オーバーレイ通信システムが複合再転送方式を用いる場合、受信データに関する認知／否定的認知情報を含む第５の制御チャンネル信号と、
移動端末機が現在属している基地局以外の基地局にハンドオフすることを要求する情報を含む第６の制御チャンネル信号と、を含むことを特徴とする請求項１５３に記載の通信システム。
【請求項１５５】
前記第２の制御チャンネル信号は、
前記第３の周波数帯域を介して受信され、前記基地局に資源の割り当てを要求する情報を含む第７の制御チャンネル信号と、
前記第３の周波数帯域に関するチャンネル品質情報を含む第８の制御チャンネル信号と、
前記周波数オーバーレイ通信システムが複合再転送方式を用いる場合、受信データに関する認知／否定的認知情報を含む第９の制御チャンネル信号と、
前記移動端末機が現在属している基地局以外の基地局にハンドオフすることを要求する情報を含む第１０の制御チャンネル信号と、を含むことを特徴とする請求項１５４に記載の通信システム。
【請求項１５６】
前記移動端末機は、前記第２の周波数帯域を介して受信される第１のパイロットチャンネル信号を用いて前記基地局のセルを獲得することを特徴とする請求項８９に記載の通信システム。
【請求項１５７】
前記移動端末機は、前記第１の周波数帯域を介して受信される第２のパイロットチャンネル信号を用いて前記基地局のセルを獲得することを特徴とする請求項１５６に記載の通信システム。
【請求項１５８】
前記信号が逆高速フーリエ変換を行って、前記第１の周波数帯域と前記第２の周波数帯域とを介して送信されることを特徴とする請求項１４７に記載の通信システム。
【請求項１５９】
前記信号が高速フーリエ変換を行って、前記第１の周波数帯域と前記第２の周波数帯域とを介して受信されることを特徴とする請求項１４７に記載の通信システム。
【発明の詳細な説明】
【技術分野】
【０００１】
本発明は、通信システム及びその制御方法に係り、特に、周波数オーバーレイ方式を用いる通信システム（以下、「周波数オーバーレイ通信システム」と称する。）及びその制御方法に関する。
【背景技術】
【０００２】
通信システムの発展が進むに伴い、その提供するサービスの種類が多岐に亘っており、このため、広域サービスを提供する広域通信システムが求められている。ところが、周波数資源は限られているが故に、たとえ広域の通信システムであるとしても、使用可能な周波数帯域には制限があり、さらに、既に設置され使用中の通信システムとの互換性も考慮する必要があることから、その設計に難点があった。
【０００３】
一方、現在提案されている広域通信システムは、上記広域通信システムのそれぞれにおいて上記広域サービスを提供するために、相異なる周波数帯域をそれぞれ別々に割り当てて用いるという基本的な想定下で設計されたものである。しかし、上記広域サービスのための周波数帯域への要求が高くなるに伴い、上記周波数帯域に対するライセンス費用は増大している。このような周波数帯域に対するライセンス費用の増大により、実際に、広域サービスを提供するための種々な方式が提案されているにも拘わらず、上記の広域サービスを提供するための方式が使用できなくなるといった不都合が生じる。
【０００４】
この理由から、上記の周波数帯域の制限を克服すると共に、すなわち、上記周波数帯域に対するライセンス費用の増大の問題を解消すると共に、上記広域サービスを円滑に提供するための方案が望まれる。
【発明の開示】
【発明が解決しようとする課題】
【０００５】
そこで、本発明の目的は、周波数資源の効率性を高める周波数オーバーレイ通信システム及びその制御方法を提供するところにある。
【０００６】
本発明の他の目的は、多重ユーザーダイバーシティゲインを最大化させる周波数オーバーレイ通信システム及びその制御方法を提供するところにある。
【０００７】
本発明のさらに他の目的は、既存の通信システムとの互換性を保証する周波数オーバーレイ通信システム及びその制御方法を提供するところにある。
【課題を解決するための手段】
【０００８】
上記目的を達成するために、本発明に係るシステムは、周波数オーバーレイ通信システムにおいて、予め定められた帯域幅を有する第１の周波数帯域を用いて通信を行う第１の通信システムと、予め定められた帯域幅を有する第２の周波数帯域を用いて通信を行う第２の通信システムと、を備え、上記第２の周波数帯域は、第１の周波数帯域を含むことを特徴とする。
【０００９】
上記目的を達成するために、本発明に係る他のシステムは、予め定められた第２の周波数帯域と、上記第２の周波数帯域と、を含む第１の周波数帯域を用いる周波数オーバーレイ通信システムにおいて、セルを獲得した場合、ランダムアクセスチャンネル信号を用いて送信器へのランダムアクセスを行い、上記送信器からランダムアクセスを承認された場合、上記ランダムアクセスを承認した送信器に資源の割り当てを要求する受信器と、上記受信器の資源の割り当ての要求に応えて上記第１の周波数帯域からの遊休資源を割り当てる送信器と、を備えることを特徴とする。
【００１０】
上記目的を達成するために、本発明に係る装置は、予め定められた第２の周波数帯域と、上記第２の周波数帯域を含む第１の周波数帯域と、を用いる周波数オーバーレイ通信システムの送信装置において、プレアンブルチャンネル信号を生成するプレアンブルチャンネル生成器と、パイロットチャンネル信号を生成するパイロットチャンネル生成器と、トラフィックチャンネル信号を生成するトラフィックチャンネル生成器と、制御チャンネル信号を生成する制御チャンネル生成器と、転送すべきデータがあった場合、上記データをスケジューリングして上記第１の周波数帯域に応じてデータを転送すべき周波数帯域を割り当てるスケジューラと、上記割り当てられた周波数帯域情報に応じて上記プレアンブルチャンネル信号と、パイロットチャンネル信号と、トラフィックチャンネル信号と、制御チャンネル信号を多重化してダウンリンクチャンネル信号として生成する多重化器と、上記ダウンリンクチャンネル信号を逆高速フーリエ変換する逆高速フーリエ変換器と、を備えることを特徴とする。
【００１１】
上記目的を達成するために、本発明に係る他の装置は、予め定められた第２の周波数帯域と、上記第２の周波数帯域を含む第１の周波数帯域と、を用いる周波数オーバーレイ通信システムの送信装置において、同期チャンネル信号を生成する同期チャンネル生成器と、ランダムアクセスチャンネル信号を生成するランダムアクセスチャンネル生成器と、トラフィックチャンネル信号を生成するトラフィックチャンネル生成器と、制御チャンネル信号を生成する制御チャンネル生成器と、上記第１の周波数帯域に応じて予め割り当てられた周波数帯域情報に基づき、上記同期チャンネル信号と、ランダムアクセスチャンネル信号と、トラフィックチャンネル信号と、制御チャンネル信号とを多重化してアップリンクチャンネル信号として生成する多重化器と、上記アップリンクチャンネル信号を逆高速フーリエ変換する逆高速フーリエ変換器と、を備えることを特徴とする。
【００１２】
上記目的を達成するために、本発明に係る他の装置は、予め定められた第２の周波数帯域と、上記第２の周波数帯域を含む第１の周波数帯域と、を用いる周波数オーバーレイ通信システムの受信装置において、受信信号を高速フーリエ変換する高速フーリエ変換器と、上記高速フーリエ変換された受信信号を予め割り当てられている周波数帯域情報に応じて逆多重化し、プレアンブルチャンネル信号と、パイロットチャンネル信号と、トラフィックチャンネル信号と、制御チャンネル信号として出力する逆多重化器と、を備えることを特徴とする。
【００１３】
上記目的を達成するために、本発明に係るさらに他の装置は、予め定められた第２の周波数帯域と、上記第２の周波数帯域を含む第１の周波数帯域と、を用いる周波数オーバーレイ通信システムの受信装置において、受信信号を高速フーリエ変換する高速フーリエ変換器と、上記高速フーリエ変換された受信信号を予め割り当てられている周波数帯域情報に応じて逆多重化し、同期チャンネル信号と、ランダムアクセスチャンネル信号と、トラフィックチャンネル信号と、制御チャンネル信号として出力する逆多重化器と、を備えることを特徴とする。
【００１４】
上記目的を達成するために、本発明に係る方法は、周波数オーバーレイ通信システムの制御方法において、第１の通信システムが予め定められた帯域幅を有する第１の周波数帯域を用いて通信を行うステップと、第２の通信システムが予め定められた帯域幅を有する第２の周波数帯域を用いて通信を行うステップと、を含み、上記第２の周波数帯域は、第１の周波数帯域を含むことを特徴とする。
【００１５】
上記目的を達成するために、本発明に係る他の方法は、予め定められた第２の周波数帯域と、上記第２の周波数帯域を含む第１の周波数帯域と、を用いる周波数オーバーレイ通信システムの制御方法において、受信器がセルを獲得した場合、ランダムアクセスチャンネル信号を用いて送信器へのランダムアクセスを行い、上記送信器からランダムアクセスを承認された場合、上記ランダムアクセスを承認した送信器に資源の割り当てを要求するステップと、送信器が上記要求した資源の割り当ての要求に応えて上記第１の周波数帯域における遊休資源を割り当てるステップを含むことを特徴とする。
【００１６】
上記目的を達成するために、本発明に係る他の方法は、予め定められた第２の周波数帯域と、上記第２の周波数帯域を含む第１の周波数帯域と、を用いる周波数オーバーレイ通信システムの送信方法において、プレアンブルチャンネル信号を生成するステップと、パイロットチャンネル信号を生成するステップと、トラフィックチャンネル信号を生成するステップと、制御チャンネル信号を生成するステップと、転送すべきデータがあった場合、上記データをスケジューリングし、上記第１の周波数帯域に応じてその転送すべき周波数帯域を割り当てるステップと、上記割り当てられた周波数帯域情報に応じて上記プレアンブルチャンネル信号と、パイロットチャンネル信号と、トラフィックチャンネル信号と、制御チャンネル信号とを多重化してダウンリンクチャンネル信号として生成するステップと、上記ダウンリンクチャンネル信号を逆高速フーリエ変換するステップと、を含むことを特徴とする。
【００１７】
上記目的を達成するために、本発明に係る他の方法は、予め定められた第２の周波数帯域と、上記第２の周波数帯域を含む第１の周波数帯域と、を用いる周波数オーバーレイ通信システムの送信方法において、同期チャンネル信号を生成するステップと、ランダムアクセスチャンネル信号を生成するステップと、トラフィックチャンネル信号を生成するステップと、制御チャンネル信号を生成するステップと、上記第１の周波数帯域に応じて予め割り当てられた周波数帯域情報に基づき、上記同期チャンネル信号と、ランダムアクセスチャンネル信号と、トラフィックチャンネル信号と、制御チャンネル信号とを多重化してアップリンクチャンネル信号として生成するステップと、上記アップリンクチャンネル信号を逆高速フーリエ変換するステップと、を含むことを特徴とする。
【００１８】
上記目的を達成するために、本発明に係る他の方法は、予め定められた第２の周波数帯域と、上記第２の周波数帯域を含む第１の周波数帯域と、を用いる周波数オーバーレイ通信システムの受信方法において、受信信号を高速フーリエ変換するステップと、上記高速フーリエ変換された受信信号を予め割り当てられている周波数帯域情報に応じて逆多重化し、プレアンブルチャンネル信号と、パイロットチャンネル信号と、トラフィックチャンネル信号と、制御チャンネル信号として出力するステップと、を含むことを特徴とする。
【００１９】
上記目的を達成するために、本発明に係る他の方法は、予め定められた第２の周波数帯域と、上記第２の周波数帯域を含む第１の周波数帯域と、を用いる周波数オーバーレイ通信システムの受信方法において、受信信号を高速フーリエ変換するステップと、上記高速フーリエ変換された受信信号を予め割り当てられている周波数帯域情報に応じて逆多重化し、同期チャンネル信号と、ランダムアクセスチャンネル信号と、トラフィックチャンネル信号と、制御チャンネル信号として出力するステップと、を含むことを特徴とする。
【００２０】
上記目的を達成するために、本発明に係るさらに他の方法は、予め定められた第２の周波数帯域と、上記第２の周波数帯域を含む第１の周波数帯域と、を用いる周波数オーバーレイ通信システムにおけるセルの獲得方法において、上記第２の周波数帯域を介して受信される第１のプレアンブル信号を受信するステップと、上記第１のプレアンブル信号の受信パワーが予め定められた受信パワーを超える場合、上記第１の周波数帯域を介してサービスを提供する第１の基地局のセル獲得を行うステップと、上記第１のプレアンブル信号の受信パワーが上記予め定められた受信パワーを超えていない場合、上記第２の周波数帯域を介してサービスを提供する第２の基地局のセル獲得を行うステップと、を含むことを特徴とする。
【発明の効果】
【００２１】
本発明は、下記の如き効果をもたらす。
（１）周波数帯域に対するライセンス費用の削減面
本発明に係る周波数オーバーレイ方式を用いる場合は、帯域幅に対するライセンス費用のみがさらに増大するため、サービス事業者にとっては、上記さらなるライセンス費用のみを負担すればよく、その結果、周波数帯域に対するライセンス費用への負担感を軽減することができる。
【００２２】
（２）オーバーレイ周波数帯域における周波数資源の効率性の増加面
本発明に係る周波数オーバーレイ方式を用いる場合、重なる周波数帯域においては、周波数資源の効率性が上がる。すなわち、オーバーレイ周波数帯域においては、ユーザーのアクセスが基本的に増えて多重ユーザーダイバーシティゲインを極大化できるので、周波数資源の効率性が上がる。ここで、周波数資源の効率は、サービス事業者の利益につながるため、サービス事業者の経済的な面からも、周波数オーバーレイ方式を用いることによる効果は多大である。
【００２３】
（３）オーバーレイ周波数帯域における既存のユーザーの機能保証面
本発明に係る周波数オーバーレイ方式を用いる場合、周波数オーバーレイ方式を用いる前の既存のユーザー、すなわち、ＮＢ−ＭＳの機能がそのまま保証されるという利点を有する。
【００２４】
（４）互換性を保証する広域システムとしての拡張基礎の構築面
本発明に係る周波数オーバーレイ方式を用いる場合、周波数オーバーレイ方式を用いる前の既存のユーザー、すなわち、ＮＢ−ＭＳの機能がそのまま保証されるので、互換性が保証され、なお且つ、広域サービスに対応可能であることから、次世代の通信システムへと跳躍する基盤となりうる。
【発明を実施するための最良の形態】
【００２５】
以下、添付した図面に基づき、本発明に係る好適な実施の形態を詳細に説明する。下記の説明においては、本発明に係る動作を理解する上で必要とされる部分だけが説明され、それ以外の部分についての説明は、本発明の要旨を曖昧にしないために省略されていることに留意すべきである。
【００２６】
本発明は、周波数オーバーレイ方式を用いる通信システム（以下、「周波数オーバーレイ通信システム」と称する。）及びその制御方法を提案する。特に、本発明は、周波数資源の限定性による周波数帯域に対するライセンス費用の増大の問題を解消し、上記周波数オーバーレイ方式の使用による既存の通信システムとの互換性を保証する他、効率よいスケジューリングの最大伝送量を提供可能な周波数オーバーレイ通信システム及びその制御方法を提案する。
【００２７】
図１は、本発明の実施の形態に係る周波数オーバーレイ通信システムにおける周波数割当て動作を概略的に示す図である。
【００２８】
図１を参照すると、上記周波数オーバーレイ通信システムを設計する前に、既に設置されている通信システム、すなわち、非周波数オーバーレイ通信システムにおいて、搬送波周波数ｆｃ１とこれに対応する周波数帯域とを既に用いていると想定する。
【００２９】
以下、説明の都合上、上記非周波数オーバーレイ通信システムを「狭帯域（ＮＢ：Narrow Band）、以下、「ＮＢ」と称する。」通信システム」と称し、上記周波数オーバーレイ通信システムを「拡張帯域（ＥＢ：Extended Band）、以下、「ＥＢ」と称する。」通信システム」と称する。。ここで、上記非周波数オーバーレイ通信システムをＮＢ通信システムと称する理由は、上記周波数オーバーレイ通信システムに用いられる周波数帯域に比べて、上記非周波数オーバーレイ通信システムに用いられる周波数帯域の方が狭いためであり、当然のことながら、上記非周波数オーバーレイ通信システムにおいて使用中の周波数帯域そのものが狭帯域であることを言うものではない。
【００３０】
ところが、上記ＮＢ通信システムにおいて提供しようとするサービスの種類が多様化し、これに伴い、必要となる伝送量が増えると、上記ＮＢ通信システムは、その使用周波数帯域の帯域幅を拡張する必要がある。このため、上記使用周波数帯域の帯域幅が拡張された通信システムを考慮することができ、上記使用周波数帯域の帯域幅が拡張された通信システムを上記ＮＢ通信システムと周波数帯域上において重なるように設計することができる。ここで、上記ＮＢ通信システムと周波数帯域上において重なるようにその使用周波数帯域が決められる通信システムが、結果として、周波数オーバーレイ通信システム、すなわち、ＥＢ通信システムとなる。このように、上記周波数オーバーレイ方式を用いることを考慮する理由は、次の通りである。
【００３１】
（１）周波数帯域に対するライセンス費用の削減面
求められる周波数帯域の帯域幅が拡張するに伴い発生するライセンス費用は、周波数資源の制限により一層増大することになる。上記周波数帯域に対するライセンス費用の増大は、サービス事業者にとっては、大きな負担となる。もし、周波数オーバーレイ方式を用いることなく、ＮＢ通信システムにおいて使用中の周波数帯域とは異なる周波数帯域を割り付ける場合、新たなＮＢ通信システムにおいて新たな周波数帯域を用いる場合と同様に、周波数帯域に対するライセンス費用がさらに発生する結果となる。これとは異なり、上記周波数オーバーレイ方式を用いる場合は、帯域幅に対するライセンス費用のみがさらに発生するため、サービス事業者は、上記さらに発生するライセンス費用のみを負担すれば済むので、周波数帯域に対するライセンス費用を比較的軽減することができる。
【００３２】
（２）オーバーレイ周波数帯域における周波数資源の効率性の増大面
図１に示すように、周波数オーバーレイ方式を用いる場合、重なる周波数帯域においては、周波数資源の効率性が上がることになる。通常の通信システムの性能を決め付ける重要な要素のうち1要素が、周波数の効率性であるが、上記周波数の効率性もまた、サービス事業者にとっては、一層重要なものとなる。これは、サービス事業者は、周波数資源の効率性に比例してその加入者から収益を創り出すことができるためである。
【００３３】
通常、特定の周波数帯域において収容可能な加入者の数が増えるに伴い、スケジューリングゲインを取得することが可能になるが、これを多重ユーザーダイバーシティゲインと称する。このため、上記周波数オーバーレイ方式を用いる場合、オーバーレイ周波数帯域をＮＢ通信システムの加入者だけではなく、ＥＢ通信システムの加入者まで共有することにより、上記オーバーレイ周波数帯域においては、結果として、収容可能な加入者の数が増えるといった効果があり、これは、周波数資源の効率性を高める効果をもたらす。もちろん、上記周波数資源の効率性の具体的な増大量は、上記ＥＢ通信システムに用いられるスケジューラのスケジューリング方式によるが、上記周波数資源の効率性を極大化させるスケジューリング方式を用いることが好適であることは、言うまでもない。
【００３４】
図１においては、本発明の実施の形態に係るＥＢ通信システムにおける周波数の割当て動作について述べている。次に、図２を参照し、本発明の実施の形態に係るＥＢ通信システムに用いられる送受信機モジュールの一例について説明する。
【００３５】
図２は、本発明の実施の形態に係るＥＢ通信システムに用いられる送受信機モジュールの一例を概略的に示す図である。
【００３６】
図２を参照すると、まず、使用周波数帯域の帯域幅が拡張される前の通信システム、すなわち、ＮＢ通信システムに用いられる送受信機モジュールの逆高速フーリエ変換（ＩＦＦＴ：Inverse Fast Fourier Transformer、以下、「ＩＦＦＴ」と称する。）／高速フーリエ変換（ＦＦＴ：Fast Fourier Transform、以下、「ＦＦＴ」と称する。）ポイント数を「Ｎ」とし、使用周波数帯域の帯域幅が拡張されてからの通信システム、すなわち、ＥＢ通信システムに用いられる送受信機モジュールのＩＦＦＴ／ＦＦＴポイント数を「Ｍ」（但し、Ｍ＞Ｎ）とする。
【００３７】
この場合、基地局（ＢＳ：Base Station、以下、「ＢＳ」と称する。）２００においては、Ｎ−ポイントＩＦＦＴ／ＦＦＴモジュールを別に備えることなく、Ｍ−ポイントＩＦＦＴ／ＦＦＴモジュールだけでもＮＢ通信システムの移動局（ＭＳ：Mobile Station、以下、「ＭＳ」と称する。）、すなわち、第１のＭＳ（ＭＳ＃１）２４０とＥＢ通信システムのＭＳ、すなわち、第２のＭＳ（ＭＳ＃２）２６０にサービスを提供することができる。このように、単一のＩＦＦＴ／ＦＦＴモジュール、すなわち、Ｍ−ポイントＩＦＦＴ／ＦＦＴモジュールを用いて、ＮＢ通信システム及びＥＢ通信システムのＭＳの両方にサービスを提供するためには、上記ＮＢ通信システムとＥＢ通信システムとの境界となる周波数帯域に保護帯域を備える必要がある。ここで、上記保護帯域の具体的なサイズは、帯域通過フィルター（ＢＰＦ：Band-Pass Filter、以下、「ＢＰＦ」と称する。）の性能に左右される。上記保護帯域については、以下において詳述するため、ここではその詳細な説明を省く。
【００３８】
図２においては、本発明の実施の形態に係るＥＢ通信システムに用いられる送受信機モジュールの一例について述べている。次に、図３を参照し、本発明の実施の形態に係るＥＢ通信システムに用いられる送受信機モジュールの別の例について説明する。
【００３９】
図３は、本発明の実施の形態に係るＥＢ通信システムに用いられる送受信機モジュールの別の例を概略的に示す図である。
【００４０】
図３を参照すると、図２を参照して述べたように、まず、ＮＢ通信システムに用いられる送受信機モジュールのＩＦＦＴ／ＦＦＴポイント数を「Ｎ」とし、ＥＢ通信システムに用いられる送受信機モジュールのＩＦＦＴ／ＦＦＴポイント数を「Ｍ」（但し、Ｍ＞Ｎ）とする。
【００４１】
ところが、図２を参照して述べたこととは異なり、システムを拡張するとき、周波数オーバーレイ方式を用いるＢＳを配置していくと、特定の個所については周波数オーバーレイ方式を用いるＢＳを配置できなくなり、上記周波数オーバーレイ方式を用いないＢＳだけが存在することがある。以下、説明の都合上、上記周波数オーバーレイ方式を用いるＢＳを「ＥＢ−ＢＳ」と称し、上記周波数オーバーレイ方式を用いないＢＳを「ＮＢ−ＢＳ」と称する。
【００４２】
もちろん、システムの拡張が完了すると、特定の個所について上記ＮＢ−ＢＳのみ存在する場合はほとんど発生しないが、システム拡張中には必ず発生する。このため、図２を参照して述べたこととは異なり、ＢＳがＮＢ−ＢＳである場合、ＥＢ通信システムに用いられる送受信機モジュールのＩＦＦＴ／ＦＦＴポイントについても考慮する必要がある。
【００４３】
上述したように、ＢＳがＮＢ−ＢＳ３００であるため、Ｎ−ポイントＩＦＦＴ／ＦＦＴモジュールのみを用いている。図２を参照して述べたように、ＥＢ通信システムに用いられる周波数帯域とＮＢ通信システムに用いられる周波数帯域との間に保護帯域のみが存在する場合、上記ＮＢ−ＢＳ３００は、Ｎ−ポイントＩＦＦＴ／ＦＦＴモジュールのみを用いても、Ｎ−ポイントＩＦＦＴ／ＦＦＴモジュールを用いる第１のＭＳ（ＭＳ＃１）３４０だけではなく、Ｍ−ポイントＩＦＦＴ／ＦＦＴモジュールを用いる第２のＭＳ（ＭＳ＃２）３６０とも通信を行うことができる。さらに、図２を参照して述べたように、上記保護帯域の具体的なサイズは、ＢＰＦの性能に左右され、上記保護帯域に関しては以下において詳述するため、ここではその詳細な説明を省く。
【００４４】
図３においては、本発明の実施の形態に係るＥＢ通信システムに用いられる送受信機モジュールの別の例について述べている。次に、図４を参照して本発明の実施の形態に係るＥＢ通信システムのダウンリンク（ＤＬ：Downlink）フレームの構造について説明する。
【００４５】
図４は、本発明の実施の形態に係るＥＢ通信システムのダウンリンクフレームの構造を概略的に示す図である。
【００４６】
図４を参照すると、上記ＥＢ通信システムのダウンリンクフレーム（以下、「ＥＢ通信システムダウンリンクフレーム」と称する。）４７０は、ＮＢ通信システムにおいて現在使用中のダウンリンクフレーム（以下、「ＮＢ通信システムダウンリンクフレーム」と称する。）４００と、上記ＥＢ通信システムのために上記ＮＢ通信システムに従属するように追加されるダウンリンクフレーム、すなわち、ＮＢ通信システム従属的なダウンリンクフレーム４５０と、上記ＮＢ通信システムダウンリンクフレーム４００とＮＢ通信システム従属的なダウンリンクフレーム４５０との間の保護帯域４３０と、を備える。
【００４７】
まず、初めに、上記ＮＢ通信システムダウンリンクフレーム４００の構造について説明する。
【００４８】
上記ＮＢ通信システムダウンリンクフレーム４００は、狭帯域プレアンブルチャンネル（ＮＢ−ＰＣＨ：Narrow Band-Preamble Channel、以下、「ＮＢ−ＰＣＨ」と称する。）と、狭帯域パイロットチャンネル（ＮＢ−ＰＩＣＨ：Narrow Band-Pilot Channel、以下、「ＮＢ−ＰＩＣＨ」と称する。）と、狭帯域トラフィックチャンネル（ＮＢ−ＴＣＨ：Narrow Band-Traffic Channel、以下、「ＮＢ−ＴＣＨ」と称する。）と、狭帯域制御チャンネル（ＮＢ−ＣＣＨ：Narrow Band-Control Channel、以下、「ＮＢ−ＣＣＨ」と称する。）と、を備える。
【００４９】
第２に、上記ＮＢ通信システム従属的なダウンリンクフレーム４５０の構造について説明する。
【００５０】
上記ＮＢ通信システム従属的なダウンリンクフレーム４５０は、狭帯域従属的なプレアンブルチャンネル（ＮＢ−ＤＰＣＨ：Narrow Band-Dependent Preamble Channel、以下、「ＮＢ−ＤＰＣＨ」と称する。）と、狭帯域従属的なパイロットチャンネル（ＮＢ−ＤＰＩＣＨ：Narrow Band-Dependent Pilot Channel、以下、「ＮＢ−ＤＰＩＣＨ」と称する。）と、狭帯域従属的なトラフィックチャンネル（ＮＢ−ＤＴＣＨ：Narrow Band-Dependent Traffic Channel、以下、「ＮＢ−ＤＴＣＨ」と称する。）と、狭帯域従属的な制御チャンネル（ＮＢ−ＤＣＣＨ：Narrow Band-Dependent Control Channel、以下、「ＮＢ−ＤＣＣＨ」と称する。）と、を備える。
【００５１】
上述したように、上記ＥＢ通信システムダウンリンクフレーム４７０は、ＮＢ通信システムダウンリンクフレーム４００と、保護帯域４３０と、ＮＢ通信システム従属的なダウンリンクフレーム４５０と、を備え、結果的に、上記ＥＢ通信システムのダウンリンクチャンネルの構造は、下記の通りである。
【００５２】
まず、初めに、上記ＥＢ通信システムのプレアンブルチャンネル（ＥＢ−ＰＣＨ：Extended Band-Preamble Channel、以下、「ＥＢ−ＰＣＨ」と称する。）は、上記ＮＢ−ＰＣＨ及びＮＢ−ＤＰＣＨを含み、第２に、上記ＥＢ通信システムのパイロットチャンネル（ＥＢ−ＰＩＣＨ：Extended Band-Pilot Channel、以下、「ＥＢ−ＰＩＣＨ」と称する。）は、ＮＢ−ＰＩＣＨ及びＮＢ−ＤＰＩＣＨを含み、第３に、上記ＥＢ通信システムのトラフィックチャンネル（ＥＢ−ＴＣＨ：Extended Band-Traffic Channel、以下、「ＥＢ−ＴＣＨ」と称する。）は、ＮＢ−ＴＣＨ及びＮＢ−ＤＴＣＨを含み、最後に、上記ＥＢ通信システムの制御チャンネル（ＥＢ−ＣＣＨ：Extended Band-Control Channel、以下、「ＥＢ−ＣＣＨ」と称する。）は、ＮＢ−ＣＣＨ及びＮＢ−ＤＣＣＨを含む。
上記ＥＢ通信システムのダウンリンクチャンネルのそれぞれについて説明すると、下記の通りである。
【００５３】
まず、初めに、上記ＥＢ−ＰＣＨは、ＮＢ通信システムとＥＢ通信システムとの互換のために、上記ＮＢ−ＰＣＨをそのまま含むだけではなく、上記ＥＢ−ＰＣＨは、ＮＢ−ＰＣＨとの相関度を最小化させると共に、時間／周波数同期及びチャンネル推定性能を極大化させるように設計される必要がある。このため、上記ＮＢ−ＤＰＣＨは、必ず上記ＮＢ−ＰＣＨに従属的な構造を有する必要がある。また、上記ＥＢ−ＰＣＨは、上記時間／周波数同期及びチャンネルの推定だけではなく、セル取得まで行えるように設計される必要がある。もちろん、上記ＥＢ−ＰＣＨを用いてセルの取得まで行えるようにもできるが、上記ＥＢ−ＰＣＨではないＥＢ−ＰＩＣＨを介してセルの取得を行えるようにもでき、以下の説明においては、説明の都合上、上記ＥＢ−ＰＩＣＨを用いてセルの取得を行う場合を一例として挙げて説明する。
【００５４】
第２に、ＥＢ−ＰＩＣＨは、ＮＢ通信システムとＥＢ通信システムとの互換のために、上記ＮＢ−ＰＩＣＨをそのまま含むだけではなく、上記ＮＢ−ＰＩＣＨに従属的な構造を有するＮＢ−ＤＰＩＣＨをも含む。また、上述したように、上記ＥＢ−ＰＩＣＨを用いてセルの取得を行うことが可能であると共に、上記ＥＢ−ＰＣＨを用いる場合と同様に、時間／周波数同期及びチャンネル推定を行うことができるが、以下の説明においては、説明の都合上、上記ＥＢ−ＰＩＣＨを用いてセルの取得を行う場合のみを一例として説明する。
【００５５】
以下、上記ＥＢ−ＰＩＣＨを用いてセルを取得する方式について説明する。
【００５６】
第１の方式は、時間−周波数領域の位置に応じて生成されたパイロットパターンを用いてセルを取得する方式である。
【００５７】
上記第１の方式は、パイロットパターンを時間−周波数領域上の位置に応じて検出するため、別途のシーケンスとして定義されるパイロットパターンが存在しない。すなわち、、上記ＥＢ−ＰＩＣＨ信号が伝送される時間−周波数領域上の位置に応じてパイロットパターンが生成され、上記生成されたパイロットパターンに応じて該当セルを取得する。しかし、上記第１の方式は、上記パイロットパターンが時間−周波数領域上において固有である必要があるため、区分可能なパイロットパターンの数に大きな制約があり、結果として、区分可能なセルの数に大きな制約が伴う。通常、通信システムの発展に伴い、その通信システムを構成するセル、すなわち、ＢＳの数も急増するため、上記第１の方式を用いる場合、区分可能なセルの数の制限は、全体システムを構成する上で制限的な要素として働く。
【００５８】
第２の方式は、固定的な時間−周波数領域の位置にシーケンスとして定義されたパイロットパターンを用いてセルを取得する方式である。
【００５９】
上記第２の方式は、パイロットパターンを固定された時間−周波数領域の位置において予め定義されたシーケンスを有するパイロットパターンを用いてセルを取得するため、時間−周波数領域の位置だけではなく、シーケンスをも考慮してパイロットパターンを検出する。これにより、区分可能なセルの数が増える。もちろん、上記第２の方式を用いる場合、上記パイロットパターン間には、すなわち、上記シーケンス間には直交性が保持され、ＮＢ通信システムとＥＢ通信システムとの互換性及び直交性が保持されるように設計される必要がある。上記パイロットパターンを構成するシーケンスを生成する方式は、本発明と直接的な関連性がないため、ここではその詳細な説明を省くが、但し、上記ＮＢ通信システムとＥＢ通信システムとのパイロットパターンは独立的に、若しくは従属的に生成可能であることに留意すべきである。
【００６０】
一方、上記ＥＢ−ＴＣＨは、ＮＢ通信システムとＥＢ通信システムとの互換のために上記ＮＢ−ＴＣＨをそのまま含むだけではなく、上記ＮＢ−ＴＣＨに従属的な構造を有するＮＢ−ＤＴＣＨを含み、上記ＥＢ−ＣＣＨは、ＮＢ通信システムとＥＢ通信システムとの互換のために上記ＮＢ−ＣＣＨをそのまま含むだけではなく、上記ＮＢ−ＣＣＨに従属的な構造を有するＮＢ−ＤＣＣＨを含む。上記ＥＢ−ＴＣＨ及びＥＢ−ＣＣＨに関しては以下において詳述するため、ここではその詳細な説明を省く。
【００６１】
図４においては、本発明の実施の形態に係るＥＢ通信システムのダウンリンクフレームの構造について述べている。次に、図５を参照して本発明の実施の形態に係るＥＢ通信システムのアップリンク（ＵＬ：Uplink）フレームの構造について説明する。
【００６２】
図５は、本発明の実施の形態に係るＥＢ通信システムのアップリンクフレームの構造を概略的に示す図である。
【００６３】
図５を参照すると、上記ＥＢ通信システムのアップリンクフレーム（以下、「ＥＢ通信システムアップリンクフレーム」と称する。）５７０は、ＮＢ通信システムにおいて現在使用中のアップリンクフレーム（以下、「ＮＢ通信システムアップリンクフレーム」と称する。）５００と、上記ＥＢ通信システムのために上記ＮＢ通信システムに従属的な形で追加されるアップリンクフレーム、すなわち、ＮＢ通信システム従属的なアップリンクフレーム５５０と、上記ＮＢ通信システムアップリンクフレーム５００とＮＢ通信システム従属的なダウンリンクフレーム５５０との間の保護帯域５３０と、を含む。
【００６４】
まず、初めに、上記ＮＢ通信システムアップリンクフレーム５００の構造について説明する。
【００６５】
上記ＮＢ通信システムアップリンクフレーム５００は、狭帯域同期チャンネル（ＮＢ−ＳＣＨ：Narrow Band-Synchronization Channel、以下、「ＮＢ−ＳＣＨ」と称する。）と、狭帯域ランダムアクセスチャンネル（ＮＢ−ＲＡＣＨ：Narrow Band-Random Access Channel、以下、「ＮＢ−ＲＡＣＨ」と称する。）と、ＮＢ−ＣＣＨと、ＮＢ−ＴＣＨと、を含む。ここで、上記ＮＢ通信システムアップリンクフレーム５００内のＮＢ−ＴＣＨは、アップリンクチャンネルであり、上記ＮＢ通信システムダウンリンクフレーム４００内のＮＢ−ＴＣＨは、ダウンリンクチャンネルであるという点のみが異なり、実質的な動作はほとんど同じである。しかし、上記ＮＢ通信システムアップリンクフレーム５００内のＮＢ−ＣＣＨは、上記ＮＢ通信システムダウンリンクフレーム４００内のＮＢ−ＣＣＨとはその動作面において非常に異なり、これについては、後述するため、ここではその詳細な説明を省く。
【００６６】
第２に、上記ＮＢ通信システム従属的なアップリンクフレーム５５０の構造について説明する。
【００６７】
上記ＮＢ通信システム従属的なアップリンクフレーム５５０は、狭帯域従属的な同期チャンネル（ＮＢ−ＤＳＣＨ：Narrow Band-Dependent Synchronization Channel、以下、「ＮＢ−ＤＳＣＨ」と称する。）と、狭帯域従属的なランダムアクセスチャンネル（ＮＢ−ＤＲＡＣＨ：Narrow Band-Dependent Random Access Channel、以下、「ＮＢ−ＤＲＡＣＨ」と称する。）と、ＮＢ−ＤＣＣＨと、ＮＢ−ＤＴＣＨと、を含む。ここで、上記ＮＢ通信システム従属的なアップリンクフレーム５５０内のＮＢ−ＤＴＣＨは、アップリンクチャンネルであり、上記ＮＢ通信システム従属的なダウンリンクフレーム４５０内のＮＢ−ＤＴＣＨは、ダウンリンクチャンネルである点のみが異なり、実質的な動作はほとんど同じである。しかし、上記ＮＢ通信システムアップリンクフレーム５００内のＮＢ−ＤＣＣＨは、上記ＮＢ通信システムダウンリンクフレーム４００内のＮＢ−ＤＣＣＨとはその動作面において非常に異なり、これについては、後述するため、ここではその詳細な説明を省く。
【００６８】
上述したように、上記ＥＢ通信システムアップリンクフレーム５７０は、ＮＢ通信システムアップリンクフレーム５００と、保護帯域５３０と、ＮＢ通信システム従属的なアップリンクフレーム５５０と、を含み、結果的に、上記ＥＢ通信システムのアップリンクチャンネルの構造は、下記の通りである。
【００６９】
まず、初めに、上記ＥＢ通信システムの同期チャンネル（ＥＢ−ＳＣＨ：Extended Band-Synchronization CHannel、以下、「ＥＢ−ＳＣＨ」と称する。）は、上記ＮＢ−ＳＣＨとＮＢ−ＤＳＣＨを含み、第２に、上記ＥＢ通信システムのランダムアクセスチャンネル（ＥＢ−ＲＡＣＨ：Extended Band-Random Access CHannel、以下、「ＥＢ−ＲＡＣＨ」と称する。）は、ＮＢ−ＲＡＣＨとＮＢ−ＤＲＡＣＨを含み、第３に、上記ＥＢ通信システムのチャンネル品質情報チャンネル（ＥＢ−ＣＱＩＣＨ：Extended Band-Channel Quality Information CHannel、以下、「ＥＢ−ＣＱＩＣＨ」と称する。）は、ＮＢ−ＣＱＩＣＨとＮＢ−ＤＣＱＩＣＨを含み、第４に、上記ＥＢ通信システムの認知／否定的認知チャンネル（ＥＢ−ＡＮＣＨ：Extended Band-Ack/Nack CHannel、以下、「ＥＢ−ＡＮＣＨ」と称する。）を含み、最後に、ＥＢ−ＴＣＨは、ＮＢ−ＴＣＨとＮＢ−ＤＴＣＨを含む。
【００７０】
なお、図５に別途に示してはいないが、上記ＥＢ−ＳＣＨと、ＥＢ−ＲＡＣＨと、ＥＢ−ＣＱＩＣＨと、ＥＢ−ＡＮＣＨとＥＢ−ＴＣＨを除く残りのアップリンク資源を制御情報の送受信のための別途の制御チャンネルとして割当てることも可能であることはいうまでもない。そして、上記ＥＢ通信システムのアップリンクチャンネルのそれぞれに関しては、以下において詳述するため、ここではその詳細な説明を省く。
【００７１】
以下においては、図６及び図７を参照してＥＢ通信システムのダウンリンク及びアップリンクチャンネルの構造について説明する。
【００７２】
図６は、本発明の実施の形態に係るＥＢ通信システムのダウンリンクチャンネルの構造を示す図である。
【００７３】
図６を参照すると、まず、図４を参照して述べたように、上記ＥＢ通信システムのダウンリンクチャンネルは、ＥＢ−ＰＣＨと、ＥＢ−ＰＩＣＨと、ＥＢ−ＴＣＨと、ＥＢ−ＣＣＨと、を含む。
【００７４】
まず、初めに、上記ＥＢ−ＰＣＨについて説明する。
【００７５】
上記ＥＢ−ＰＣＨは、ＮＢ−ＰＣＨとＮＢ−ＤＰＣＨを含み、ダウンリンクフレームの開始部分から伝送されるチャンネルであり、上記ＥＢ−ＰＣＨを用いて時間／周波数同期の取得と、チャンネル推定及びセルの取得を行うことができる。
【００７６】
第２に、上記ＥＢ−ＰＩＣＨについて説明する。
【００７７】
上記ＥＢ−ＰＩＣＨは、ＮＢ−ＰＩＣＨ及びＮＢ−ＤＰＩＣＨを含み、上記ＥＢ−ＰＣＨの後にＥＢ−ＴＣＨとＥＢ−ＣＣＨと時間上に多重化するチャンネルであって、上記ＥＢ−ＰＣＨと同様、上記ＥＢ−ＰＩＣＨを用いて時間／周波数同期の取得と、チャンネル推定及びセルの取得を行うことができる。
【００７８】
第３に、上記ＥＢ−ＴＣＨについて説明する。
【００７９】
上記ＥＢ−ＴＣＨは、ＮＢ−ＴＣＨ及びＮＢ−ＤＴＣＨを含み、上記ＥＢ−ＴＣＨを介してトラフィックデータが伝送される。
【００８０】
第４に、上記ＥＢ−ＣＣＨについて説明する。
【００８１】
上記ＥＢ−ＣＣＨは、ＮＢ−ＣＣＨ及びＮＢ−ＤＣＣＨを含み、ダウンリンクランダムアクセスと、資源の要求と、トラフィックデータの伝送制御のための制御チャンネルであり、上記ＮＢ−ＣＣＨとＮＢ−ＤＣＣＨについて説明すると、下記の通りである。
【００８２】
まず、上記ＮＢ−ＣＣＨは、狭帯域アクセス承認チャンネル（ＮＢ−ＡＧＣＨ：Narrow Band-Access Grant Channel、以下、「ＮＢ−ＡＧＣＨ」と称する。）と、狭帯域ダウンリンクマップチャンネル（ＮＢ−ＤＬ−ＭＡＰＣＨ：Narrow Band-DownLink MAP Channel、以下、「ＮＢ−ＤＬ−ＭＡＰＣＨ」と称する。）と、狭帯域アップリンクマップチャンネル（ＮＢ−ＵＬ−ＭＡＰＣＨ：Narrow Band-Uplink MAP Channel、以下、「ＮＢ−ＵＬ−ＭＡＰＣＨ」と称する。）と、狭帯域チャンネル品質情報量チャンネル（ＮＢ−ＣＱＩＡＣＨ：Narrow Band-Channel Quality Information Amount Channel、以下、「ＮＢ−ＣＱＩＡＣＨ」と称する。）と、狭帯域ウェークアップチャンネル（ＮＢ−ＷＵＣＨ：Narrow Band-Wake-Up Channel、以下、「ＮＢ−ＷＵＣＨ」と称する。）と、を含む。
【００８３】
次に、上記ＮＢ−ＤＣＣＨは、拡張帯域−狭帯域アクセス許可チャンネル（ＥＢ−ＮＢ−ＡＰＣＨ：Extended Band-Narrow Band Access Permission Channel、以下、「ＥＢ−ＮＢ−ＡＰＣＨ」と称する。）と、狭帯域従属的なアクセス承認チャンネル（ＮＢ−ＤＡＧＣＨ：Narrow Band-Dependent Access Grant Channel、以下、「ＮＢ−ＤＡＧＣＨ」と称する。）と、狭帯域従属的なダウンリンクマップチャンネル（ＮＢ−ＤＤＬ−ＭＡＰＣＨ：Narrow Band-Dependent DownLink MAP Channel、以下、「ＮＢ−ＤＤＬ−ＭＡＰＣＨ」と称する。）と、狭帯域従属的なアップリンクマップチャンネル（ＮＢ−ＤＵＬ−ＭＡＰＣＨ：Narrow Band-Dependent Uplink MAP Channel、以下、「ＮＢ−ＤＵＬ−ＭＡＰＣＨ」と称する。）と、狭帯域従属的なチャンネル品質情報量チャンネル（ＮＢ−ＤＣＱＩＡＣＨ：Narrow Band-Dependent Channel Quality Information Amount Channel、以下、「ＮＢ−ＤＣＱＩＡＣＨ」と称する。）と、狭帯域従属的なウェークアップチャンネル（ＮＢ−ＤＷＵＣＨ：Narrow Band-Dependent Wake-Up Channel、以下、「ＮＢ−ＤＷＵＣＨ」と称する。）と、を含む。
【００８４】
以下、上記ＮＢ−ＡＧＣＨと、ＮＢ−ＤＬ−ＭＡＰＣＨと、ＮＢ−ＵＬ−ＭＡＰＣＨと、ＮＢ−ＣＱＩＡＣＨと、ＮＢ−ＷＵＣＨと、のそれぞれについて説明すると、下記の通りである。
【００８５】
まず、初めに、上記ＮＢ−ＡＧＣＨは、ＭＳがアップリンクを介して、すなわち、ＮＢ−ＲＡＣＨを介してランダムアクセスを試みる場合、上記ＭＳのランダムアクセスを許諾する情報を含むチャンネルであって、上記ＮＢ−ＡＧＣＨに関しては、以下において詳述するため、ここではその詳細な説明を省く。
【００８６】
第２に、上記ＮＢ−ＤＬ−ＭＡＰＣＨは、ＮＢ−ＴＣＨのダウンリンクトラフィックデータの復元のために必要な情報を含むチャンネルであり、上記ＮＢ−ＴＣＨのダウンリンクトラフィックデータの復元のために必要な情報とは、上記ＮＢ−ＴＣＨに用いられる資源領域情報と、変調方式情報と、コード方式情報と、を示す。
【００８７】
第３に、上記ＮＢ−ＵＬ−ＭＡＰＣＨは、ＮＢ−ＴＣＨのアップリンクトラフィックデータの復元のために必要な情報を含むチャンネルであり、上記ＮＢ−ＴＣＨのアップリンクトラフィックデータの復元のために必要な情報とは、上記ＮＢ−ＴＣＨに適用された資源領域情報と、変調方式情報と、コード方式情報と、を示す。
【００８８】
第４に、上記ＮＢ−ＣＱＩＡＣＨは、ＮＢ通信システムを介してサービスを受けているＭＳ（以下、「ＮＢ−ＭＳ」と称する。）がフィードバックすべきＣＱＩ量に関する情報を含むチャンネルである。もちろん、上記ＮＢ通信システムにおいて、上記ＮＢ通信システムに用いられる全ての周波数帯域に対してＣＱＩを全て伝送させる場合には、上記ＮＢ−ＭＳがフィードバックすべきＣＱＩの量は固定され、上記ＮＢ通信システムにおいて上記ＮＢ通信システムに用いられる全ての周波数帯域に対してＣＱＩを全て伝送させない場合には、上記ＮＢ−ＭＳがフィードバックすべきＣＱＩの量は可変となる。上記ＮＢ通信システムは、アップリンクシグナリングオーバーヘッドを考慮して、上記ＮＢ通信システムに用いられる全ての周波数帯域ではない一部の周波数帯域に対してのみ、ＮＢ−ＭＳがＣＱＩをフィードバックするようにでき、これは、本発明と直接的な関連性がないため、ここではその詳細な説明を省く。
【００８９】
第五に、ＮＢ−ＷＵＣＨは、ＮＢ−ＭＳがスリープモードに存在するとき、上記スリープモードに存在するＮＢ−ＭＳをウェークアップさせる情報を含む。ここで、上記スリープモードに存在するＮＢ−ＭＳをウェークアップする動作は、本発明と直接的な関連性がないため、ここではその詳細な説明を省く。
【００９０】
次に、上記ＥＢ−ＮＢ−ＡＰＣＨと、ＮＢ−ＤＡＧＣＨと、ＮＢ−ＤＤＬ−ＭＡＰＣＨと、ＮＢ−ＤＵＬ−ＭＡＰＣＨと、ＮＢ−ＤＣＱＩＡＣＨと、ＮＢ−ＤＷＵＣＨについて説明する。
【００９１】
まず、初めに、上記ＥＢ−ＮＢ−ＡＰＣＨについて説明する。
【００９２】
ＥＢ通信システムにおいては、基本的に、ＥＢ通信システムを介してサービスを受けているＭＳ（以下、「ＥＢ−ＭＳ」と称する。）は、ＮＢ−ＤＲＡＣＨを介してＥＢ−ＢＳにランダムアクセスを行うように制御する。しかし、ＮＢ−ＤＲＡＣＨを用いるＭＳの数に比べて、ＮＢ−ＲＡＣＨを用いるＭＳの数が少ない場合、たとえＥＢ−ＭＳであるとしても、上記ＮＢ−ＲＡＣＨを用いるように許可しなければ、システムの効率が上がらなくなる。上記ＥＢ−ＮＢ−ＡＰＣＨは、上記ＥＢ−ＭＳのＮＢ−ＲＡＣＨの使用許可を示す情報を含むチャンネルであり、上記ＥＢ−ＮＢ−ＡＰＣＨについては、後述するため、ここではその詳細な説明を省く。
【００９３】
第２に、上記ＮＢ−ＤＡＧＣＨは、ＮＢ−ＤＲＡＣＨを介してランダムアクセスを行うＥＢ−ＭＳに対して上記ランダムアクセスを許諾する情報を含むチャンネルであり、上記ＮＢ−ＤＡＧＣＨについては後述するため、ここではその詳細な説明を省く。
【００９４】
第３に、上記ＮＢ−ＤＤＬ−ＭＡＰＣＨは、ＮＢ−ＤＴＣＨのダウンリンクトラフィックデータの復元のために必要な情報を含むチャンネルであり、上記ＮＢ−ＤＴＣＨのダウンリンクトラフィックデータの復元のために必要な情報とは、上記ＮＢ−ＤＴＣＨに適用された資源領域情報と、変調方式情報と、コード方式情報と、を示す。
【００９５】
第４に、ＮＢ−ＤＵＬ−ＭＡＰＣＨは、ＮＢ−ＤＴＣＨのアップリンクトラフィックデータの復元のために必要な情報を含むチャンネルであり、上記ＮＢ−ＤＴＣＨのアップリンクトラフィックデータの復元のために必要な情報とは、上記ＮＢ−ＤＴＣＨに適用された資源領域情報と、変調方式情報と、コード方式情報と、を示す。
【００９６】
第５に、ＮＢ−ＤＣＱＩＡＣＨは、ＥＢ−ＭＳがフィードバックすべきＣＱＩ量に関する情報を含むチャンネルである。もちろん、上記ＥＢ通信システムにおいて、上記ＥＢ通信システムに用いられる全ての周波数帯域に対してＣＱＩを全て伝送させる場合は、上記ＥＢ−ＭＳがフィードバックすべきＣＱＩ量は固定され、上記ＥＢ通信システムにおいて、上記ＥＢ通信システムに用いられる全ての周波数帯域に対してＣＱＩを全て伝送させない場合は、上記ＥＢ−ＭＳがフィードバックすべきＣＱＩ量は可変する。上記ＥＢ通信システムは、アップリンクシグナリングオーバヘッドを考慮して上記ＥＢ通信システムに用いられる全ての周波数帯域ではない一部の周波数帯域に対してのみ、ＥＢ−ＭＳがＣＱＩをフィードバックするようにでき、これは、本発明と直接的な関連性がないため、ここではその詳細な説明を省く。
【００９７】
第６に、ＮＢ−ＤＷＵＣＨは、ＥＢ−ＭＳがスリープモードに存在するとき、上記スリープモードに存在するＥＢ−ＭＳをウェークアップさせる情報を含む。ここで、上記スリープモードに存在するＥＢ−ＭＳをウェークアップする動作は、本発明と直接的な関連性がないため、ここではその詳細な説明を省く。
【００９８】
一方、図６において述べた機能を行う制御チャンネルの他にも、新たな機能を行う制御チャンネルがダウンリンクチャンネル構造に含まれうることは言うまでもない。
【００９９】
図６においては、本発明の実施の形態に係るＥＢ通信システムのダウンリンクチャンネル構造について述べている。次に、図７を参照して本発明の実施の形態に係るＥＢ通信システムのアップリンクチャンネル構造について説明する。
【０１００】
図７は、本発明の実施の形態に係るＥＢ通信システムのアップリンクチャンネル構造を示す図である。
【０１０１】
図７を参照すると、まず、図５を参照して述べたように、上記ＥＢ通信システムのアップリンクチャンネルは、ＥＢ−ＳＣＨと、ＥＢ−ＲＡＣＨと、ＥＢ−ＣＣＨと、ＥＢ−ＴＣＨと、を含む。
【０１０２】
まず、初めに、上記ＥＢ−ＳＣＨについて説明する。
【０１０３】
上記ＥＢ−ＳＣＨは、ＮＢ−ＳＣＨ及びＮＢ−ＤＳＣＨを含み、上記ＥＢ−ＳＣＨを用いてアップリンク時間／周波数同期を取得することができ、資源要求を行うことができる。
【０１０４】
第２に、上記ＥＢ−ＲＡＣＨについて説明する。
【０１０５】
上記ＥＢ−ＲＡＣＨは、ＮＢ−ＲＡＣＨ及びＮＢ−ＤＲＡＣＨを含み、上記ＥＢ−ＲＡＣＨを介してＮＢ−ＭＳ若しくはＥＢ−ＭＳがＮＢ−ＢＳ若しくはＥＢ−ＢＳへのランダムアクセスを行い、上記ＮＢ−ＭＳ若しくはＥＢ−ＭＳがＮＢ−ＢＳ若しくはＥＢ−ＢＳにランダムアクセスを行う動作については後述するため、ここではその詳細な説明を省く。
【０１０６】
第３に、上記ＥＢ−ＣＣＨについて説明する。
【０１０７】
上記ＥＢ−ＣＣＨは、ＮＢ−ＣＣＨ及びＮＢ−ＤＣＣＨを含み、上記ＮＢ−ＣＣＨ及びＮＢ−ＤＣＣＨのそれぞれについて説明する。
【０１０８】
まず、上記ＮＢ−ＣＣＨは、狭帯域資源要求チャンネル（ＮＢ−ＲＲＣＨ：Narrow Band-Resource Request Channel、以下、「ＮＢ−ＲＲＣＨ」と称する。）と、狭帯域チャンネル品質情報チャンネル（ＮＢ−ＣＱＩＣＨ：Narrow Band-Channel Quality Information Channel、以下、「ＮＢ−ＣＱＩＣＨ」と称する。）と、狭帯域認知／否定的認知チャンネル（ＮＢ−ＡＮＣＨ：Narrow Band-Ack/Nack Channel、以下、「ＮＢ−ＡＮＣＨ」と称する。）と、狭帯域ハンドオフ要求チャンネル（ＮＢ−ＨＲＣＨ：Narrow Band-Handoff Request Channel、以下、「ＮＢ−ＨＲＣＨ」と称する。）を含む。
【０１０９】
次に、上記ＮＢ−ＤＣＣＨは、狭帯域従属的な資源要求チャンネル（ＮＢ−ＤＲＲＣＨ：Narrow Band-Dependent Resource Request Channel、以下、「ＮＢ−ＤＲＲＣＨ」と称する。）と、狭帯域従属的なチャンネル品質情報チャンネル（ＮＢ−ＤＣＱＩＣＨ：Narrow Band-Dependent Channel Quality Information Channel、以下、「ＮＢ−ＤＣＱＩＣＨ」と称する。）と、狭帯域従属的な認知／否定的認知チャンネル（ＮＢ−ＤＡＮＣＨ：Narrow Band-Dependent Ack/Nack Channel、以下、「ＮＢ−ＤＡＮＣＨ」と称する。）と、狭帯域従属的なハンドオフ要求チャンネル（ＮＢ−ＤＨＲＣＨ：Narrow Band-Dependent Handoff Request Channel、以下、「ＮＢ−ＤＨＲＣＨ」と称する。）を含む。
【０１１０】
以下、上記ＮＢ−ＲＲＣＨと、ＮＢ−ＣＱＩＣＨと、ＮＢ−ＡＮＣＨと、ＮＢ−ＨＲＣＨのそれぞれについて説明する。
【０１１１】
まず、初めに、上記ＮＢ−ＲＲＣＨは、ＮＢ−ＭＳの資源要求情報を含むチャンネルであり、第２に、上記ＮＢ−ＣＱＩＣＨは、ＮＢ−ＭＳがフィードバックするＣＱＩを含むチャンネルであり、第３に、上記ＮＢ−ＡＮＣＨは上記ＮＢ通信システムにおいて複合再伝送（ＨＡＲＱ：Hybrid Automatic Retransmission Request、以下、「ＨＡＲＱ」と称する。）方式を用いる場合、ＮＢ−ＭＳがフィードバックする認知／否定的認知情報を含むチャンネルであり、第４に、上記ＮＢ−ＨＲＣＨは、ＮＢ−ＭＳが該当ＢＳにハンドオフを要請する情報を含むチャンネルである。
【０１１２】
次に、ＮＢ−ＤＲＲＣＨと、ＮＢ−ＤＣＱＩＣＨと、ＮＢ−ＤＡＮＣＨと、ＮＢ−ＤＨＲＣＨと、のそれぞれについて説明する。
【０１１３】
まず、初めに、上記ＮＢ−ＤＲＲＣＨは、ＥＢ−ＭＳの資源要求情報を含むチャンネルであり、第２に、上記ＮＢ−ＤＣＱＩＣＨは、ＥＢ−ＭＳがフィードバックするＣＱＩを含むチャンネルであり、第３に、上記ＮＢ−ＤＡＮＣＨは、上記ＥＢ通信システムにおいてＨＡＲＱ方式を用いる場合、ＥＢ−ＭＳがフィードバックする認知／否定的認知情報を含むチャンネルであり、第４に、上記ＮＢ−ＤＨＲＣＨは、ＥＢ−ＭＳが該当ＢＳにハンドオフを要請する情報を含むチャンネルである。
【０１１４】
一方、図７において述べた機能を行う制御チャンネルの他にも、新たな機能を行う制御チャンネルがダウンリンクチャンネル構造に含まれうることは言うまでもない。
【０１１５】
図７においては、本発明の実施の形態に係るＥＢ通信システムのアップリンクチャンネルの構造について述べている。次に、図８を参照して本発明の実施の形態に係るＥＢ通信システムにおけるＥＢ−ＭＳのセルの取得動作について説明する。
【０１１６】
図８は、本発明の実施の形態に係るＥＢ通信システムにおけるＥＢ−ＭＳのセルの取得過程を示す手順図である。
【０１１７】
図８を参照すると、まず、ＥＢ−ＭＳは、ステップＳ８１１において、パワーオンした後、ステップＳ８１３において、ＮＢ−ＤＰＣＨ信号を受信し、上記受信したＮＢ−ＤＰＣＨ信号の受信電力を測定し、ステップＳ８１５へ移る。上記ステップＳ８１５において、上記ＥＢ−ＭＳは、上記測定したＮＢ−ＤＰＣＨ信号の受信電力が既に定められた臨界電力ＰＴＨを超えるかどうかを検査する。上記検査の結果、上記ＮＢ−ＤＰＣＨ信号の受信電力が上記臨界電力ＰＴＨを超える場合、上記ＥＢ−ＭＳは、ステップＳ８１７へ移る。上記ステップＳ８１７において、上記ＥＢ−ＭＳは、上記ＮＢ−ＤＰＣＨ信号の受信電力が上記臨界電力ＰＴＨを超えているため、周りにＥＢ−ＢＳが存在すると判断して、ＥＢ−ＢＳセル取得を行う。本発明の一実施の形態においては、上記ＥＢ−ＢＳセルの取得は、ＥＢ−ＰＩＣＨを介して受信される信号のパイロットパターン検出を通じて行われる。この場合、上記ＥＢ−ＭＳは、好ましくは、上記ＥＢ通信システムを構成する全てのＥＢ−ＢＳのパイロットパターンを予め知っていなければならない。もちろん、上記ＥＢ−ＢＳセルの取得を行うとき、上記ＥＢ−ＰＩＣＨを介して受信される信号のパイロットパターン検出のみならず、プレアンブルパターン検出などの各種の方式によりＥＢ−ＢＳセルの取得を行うことが可能になることは言うまでもない。上記ＥＢ−ＢＳセル取得後、上記ＥＢ−ＭＳは、該当ＥＢ−ＢＳにランダムアクセスを行って終了する。ここで、上記ＥＢ−ＭＳがＥＢ−ＢＳにランダムアクセスを行う動作については、後述するため、ここではその詳細な説明を省く。
【０１１８】
一方、上記ステップＳ８１５において、上記検査の結果、上記ＮＢ−ＤＰＣＨ信号の受信電力が上記臨界電力ＰＴＨを超えていない場合、上記ＥＢ−ＭＳは、周りにＥＢ−ＢＳが存在しないと判断して、ステップＳ８１９へ移る。上記ステップＳ８１９において、上記ＥＢ−ＭＳは、ＮＢ−ＢＳセル取得を行う。  本発明の一実施の形態においては、上記ＮＢ−ＢＳセル取得は、ＮＢ−ＰＩＣＨを介して受信される信号のパイロットパターンの検出を通じて行われる。  この場合、上記ＥＢ−ＭＳは、好ましくは、上記ＮＢ通信システムを構成する全てのＮＢ−ＢＳのパイロットパターンを予め知っていなければならない。もちろん、上記ＮＢ−ＢＳセル取得を行うとき、上記ＮＢ−ＰＩＣＨを介して受信される信号のパイロットパターンの検出だけではなく、プレアンブルパターンの検出などの各種の方式によりＮＢ−ＢＳセル取得を行うことが可能であることは言うまでもない。上記ＮＢ−ＢＳセル取得後、上記ＥＢ−ＭＳは、該当ＮＢ−ＢＳにランダムアクセスを行って終了する。ここで、上記ＥＢ−ＭＳがＮＢ−ＢＳにランダムアクセスを行う動作については後述するため、ここではその詳細な説明を省く。
【０１１９】
図８においては、本発明の実施の形態に係るＥＢ通信システムにおいてＥＢ−ＭＳのセル取得動作について述べている。次に、図９Ａ及び図９Ｂを参照して本発明の実施の形態に係るＥＢ通信システムにおいてＥＢ−ＭＳとＥＢ−ＢＳとのトラフィックデータの送受信動作について説明する。
【０１２０】
図９Ａ及び図９Ｂは、本発明の実施の形態に係るＥＢ通信システムにおける、ＥＢ−ＭＳとＥＢ−ＢＳとのトラフィックデータの送受信過程を示す手順図である。
【０１２１】
図９Ａ及び図９Ｂにおいては、各工程の動作主体が異なることがあり、このため、各工程別にその動作主体を別々に記述していることに注意すべきである。  図９Ａ及び図９Ｂを参照すると、まず、ＥＢ−ＰＩＣＨを用いてセル取得を完了したＥＢ−ＭＳは、ＮＢ−ＤＲＡＣＨを用いて上記ＥＢ−ＢＳにランダムアクセスを行う（ステップＳ９１１）。すると、上記ＥＢ−ＢＳは、上記ＮＢ−ＤＲＡＣＨを用いて上記ＥＢ−ＢＳにランダムアクセスを行うＥＢ−ＭＳの数が多くて、上記ＮＢ−ＤＲＡＣＨの衝突頻度が高いか、若しくは上記ＮＢ−ＤＲＡＣＨを正常的に支援し得ないかどうかを検査する（ステップＳ９１３）。ここで、上記ＥＢ−ＢＳは、上記ＮＢ−ＤＲＡＣＨの衝突頻度が予め定められた臨界衝突頻度を超える場合、上記ＮＢ−ＤＲＡＣＨの衝突頻度が高いと判断し、上記臨界衝突頻度は、上記ＥＢ通信過程において可変的に設定可能であることは言うまでもない。
【０１２２】
上記検査の結果、上記ＮＢ−ＤＲＡＣＨの衝突頻度が高いか、若しくは上記ＮＢ−ＤＲＡＣＨを正常に支援し得ない場合、上記ＥＢ−ＢＳは、上記ＥＢ−ＭＳにＮＢ−ＲＡＣＨを割当てることができるかどうかを検査する（ステップＳ９１５）。ここで、上記ＥＢ−ＢＳは、上記ＮＢ−ＲＡＣＨの衝突頻度が低い場合、すなわち、上記ＮＢ−ＲＡＣＨを介してランダムアクセスを行うＮＢ−ＭＳの数が比較的少ない場合にのみ、上記ＥＢ−ＭＳにＮＢ−ＲＡＣＨを割当てる。上記検査の結果、上記ＥＢ−ＭＳに上記ＮＢ−ＲＡＣＨを割当て得ない場合、上記ＥＢ−ＢＳは、上記ＮＢ−ＲＡＣＨを割当てることができず、このため、上記ＥＢ−ＭＳは、予め定められた待ち時間分を待った後（ステップＳ９１７）、さらに上記ＮＢ−ＤＲＡＣＨを介してランダムアクセスを行う（ステップＳ９１１）。本発明の一実施の形態においては、上記ＥＢ−ＭＳは、ＣＳＭＡ−ＣＤ（CarrierSenseMultipleAccess-CollisionDetection）アルゴリズムを用いて上記待ち時間を設定する。
【０１２３】
一方、上記ＥＢ−ＭＳに上記ＮＢ−ＲＡＣＨを割当てることが可能な場合、上記ＥＢ−ＢＳは、上記ＥＢ−ＭＳに上記ＮＢ−ＲＡＣＨを割当て、上記ＥＢ−ＭＳに上記ＮＢ−ＲＡＣＨを介してランダムアクセスを行うことが許可されていることをＥＢ−ＮＢ−ＡＰＣＨを介して報知する（ステップＳ９１９）。このため、上記ＥＢ−ＭＳは、上記ＮＢ−ＲＡＣＨを介して上記ＥＢ−ＢＳにランダムアクセスを行う（ステップＳ９２１）。すると、上記ＥＢ−ＢＳは、上記ＮＢ−ＲＡＣＨを用いて上記ＥＢ−ＢＳにランダムアクセスを行うＮＢ−ＭＳ及びＥＢ−ＭＳの数が多くて上記ＮＢ−ＲＡＣＨの衝突頻度が高いか、若しくは上記ＮＢ−ＲＡＣＨを正常に支援し得ないかどうかを検査する（ステップＳ９２３）。ここで、上記ＥＢ−ＢＳは、上記ＮＢ−ＲＡＣＨの衝突頻度が予め定められた臨界衝突頻度を超える場合、上記ＮＢ−ＲＡＣＨの衝突頻度が高いと判断し、上記臨界衝突頻度は、上記ＥＢ通信システムにおいて可変的に設定可能であることは言うまでもない。
【０１２４】
上記検査の結果、上記ＮＢ−ＲＡＣＨの衝突頻度が高いか、若しくは上記ＮＢ−ＲＡＣＨを正常に支援し得ない場合、上記ＥＢ−ＭＳは、予め定められた待ち時間だけ待った後（ステップＳ９２５）、上記ＮＢ−ＲＡＣＨを介してさらに上記ＥＢ−ＢＳにランダムアクセスを行う。上記検査の結果、上記ＮＢ−ＲＡＣＨの衝突頻度が低いか、若しくは上記ＮＢ−ＲＡＣＨを支援しうる場合、上記ＥＢ−ＢＳは、上記ＥＢ−ＭＳにＮＢ−ＡＧＣＨを介して上記ＮＢ−ＲＡＣＨを通じてのランダムアクセスを承認していることを報知する（ステップＳ９２７）。すると、上記ＥＢ−ＭＳは、ＮＢ−ＲＲＣＨを介して上記ＥＢ−ＢＳに資源を要求する（ステップＳ９２９）。
【０１２５】
一方、上記ＮＢ−ＤＲＡＣＨの衝突頻度が低いか、若しくは上記ＮＢ−ＤＲＡＣＨを支援しうる場合、上記ＥＢ−ＢＳは、ＮＢ−ＤＡＧＣＨを介して上記ＥＢ−ＭＳに上記ＮＢ−ＤＲＡＣＨを通じてのランダムアクセスを承認していることを報知する（ステップＳ９３１）。すると、上記ＥＢ−ＭＳは、ＮＢ−ＤＲＲＣＨを介して上記ＥＢ−ＢＳに資源を要求する（ステップＳ９３３）。
【０１２６】
上記ＥＢ−ＢＳは、ＮＢ通信システムの資源、すなわち、オーバーレイ周波数帯域の休止資源が存在するかどうかを検査する（ステップＳ９３５）。上記検査の結果、上記オーバーレイ周波数帯域の休止周波数資源が存在する場合、上記ＥＢ−ＢＳは、上記ＥＢ−ＭＳにオーバーレイ周波数帯域の休止資源若しくは拡張周波数帯域の休止資源を割当て、上記割当てた資源に関する情報をＮＢ−ＤＬ−ＭＡＰＣＨ／ＮＢ−ＵＬ−ＭＡＰＣＨ若しくは、ＮＢ−ＤＤＬ−ＭＡＰＣＨ／ＮＢ−ＤＵＬ−ＭＡＰＣＨを介して上記ＥＢ−ＭＳに報知する（ステップＳ９３７）。ここで、上記ＥＢ−ＢＳは、予め定められたスケジューリング方式に応じて上記ＥＢ−ＭＳにオーバーレイ周波数帯域の休止資源若しくは拡張周波数帯域の休止資源を割当て、上記スケジューリング方式そのものは、本発明と直接的な関連性がないため、ここではその詳細な説明を省く。次いで、上記ＥＢ−ＭＳと上記ＥＢ−ＢＳは、割り当てられた資源領域において、ＮＢ−ＴＣＨ若しくは、ＮＢ−ＤＴＣＨを介してトラフィックデータを送受信する（ステップＳ９３９）。
【０１２７】
もし、上記オーバーレイ周波数帯域の休止周波数資源が存在しない場合、上記ＥＢ−ＢＳは、上記ＥＢ−ＭＳに拡張周波数帯域の休止資源を割当て、上記割当てた資源に関する情報をＮＢ−ＤＤＬ−ＭＡＰＣＨ／ＮＢ−ＤＵＬ−ＭＡＰＣＨを介して上記ＥＢ−ＭＳに報知する（ステップＳ９４１）。ここで、上記ＥＢ−ＢＳは、予め定められたスケジューリング方式に応じて上記ＥＢ−ＭＳに拡張周波数帯域の休止資源を割当て、上記スケジューリング方式そのものは、本発明と直接的な関連性がないため、ここではその詳細な説明を省く。次いで、上記ＥＢ−ＭＳと上記ＥＢ−ＢＳは、割り当てられた資源領域において、ＮＢ−ＤＴＣＨを介してトラフィックデータを送受信する（ステップＳ９４３）。
【０１２８】
図９Ａ及び図９Ｂにおいては、本発明の実施の形態に係るＥＢ通信システムにおいてＥＢ−ＭＳとＥＢ−ＢＳとのトラフィックデータの送受信動作について述べている。次に、図１０を参照して本発明の実施の形態に係るＥＢ通信システムのＥＢ−ＢＳ送信装置構造について説明する。
【０１２９】
図１０は、本発明の実施の形態に係るＥＢ通信システムのＥＢ−ＢＳ送信装置の構造を示す図である。
【０１３０】
図１０を参照すると、上記ＥＢ−ＢＳ送信装置は、スケジューラ１０１１と、ＰＣＨ生成器１０１３と、ＰＩＣＨ生成器１０１５と、ＤＬ−ＴＣＨ生成器１０１７と、ＤＬ−ＣＣＨ生成器１０１９と、多重化器１０２１と、Ｍ−ポイントＩＦＦＴ器１０２３と、ＲＦ送信器１０２５と、を含む。
【０１３１】
まず、上記ＥＢ通信システムからサービスを提供する全てのＭＳに関するユーザーデータは、上記スケジューラ１０１１に伝達され、上記スケジューラ１０１１は、予め定められたスケジューリング方式に応じて上記ユーザーデータをスケジューリングし、そのスケジューリングされたユーザーデータは、上記ＤＬ−ＴＣＨ生成器１０１７に出力し、上記スケジューリングされたユーザーデータに関する資源割当て情報をＤＬ−ＣＣＨ生成器１０１９と上記多重化器１０２１に出力する。ここで、上記スケジューラ１０１１のスケジューリング動作そのものは、本発明と直接的な関連性がないため、ここではその詳細な説明を省く。
【０１３２】
一方、上記ＰＣＨ生成器１０１３は、ＰＣＨ、すなわち、ＮＢ−ＰＣＨと、保護帯域信号と、ＮＢ−ＤＰＣＨを含むＥＢ−ＰＣＨと、を生成して上記多重化器１０２１に出力する。上記ＰＩＣＨ生成器１０１５はＰＩＣＨ、すなわち、ＮＢ−ＰＩＣＨと、保護帯域信号と、ＮＢ−ＤＰＩＣＨと、を含むＥＢ−ＰＩＣＨを生成して上記多重化器１０２１に出力する。上記ＤＬ−ＴＣＨ生成器１０１７はＤＬ−ＴＣＨ、すなわち、ＮＢ−ＴＣＨとＮＢ−ＤＴＣＨと、を含むＥＢ−ＴＣＨを生成して上記多重化器１０２１に出力する。上記ＤＬ−ＣＣＨ生成器１０１９はＤＬ−ＣＣＨ、すなわち、ＮＢ−ＣＣＨとＮＢ−ＤＣＣＨを含むＥＢ−ＣＣＨを生成して上記多重化器１０２１に出力する。ここで、上記ＮＢ−ＣＣＨは図６を参照して述べたように、ＮＢ−ＡＧＣＨと、ＮＢ−ＤＬ−ＭＡＰＣＨと、ＮＢ−ＵＬ−ＭＡＰＣＨと、ＮＢ−ＣＱＩＣＨと、ＮＢ−ＷＵＣＨと、を含み、上記ＮＢ−ＤＣＣＨはＥＢ−ＮＢ−ＡＰＣＨと、ＮＢ−ＤＤＬ−ＭＡＰＣＨと、ＮＢ−ＤＵＬ−ＭＡＰＣＨと、ＮＢ−ＤＣＱＩＣＨと、ＮＢ−ＤＷＵＣＨと、を含む。
【０１３３】
上記多重化器１０２１は、上記ＰＣＨ生成器１０１３から出力されたＰＣＨと、上記ＰＩＣＨ生成器１０１５から出力されたＰＩＣＨと、上記ＤＬ−ＴＣＨ生成器１０１７から出力されたＤＬ−ＴＣＨと、上記ＤＬ−ＣＣＨ生成器１０１９から出力されたＤＬ−ＣＣＨと、を上記スケジューラ１０１１から出力された資源割当て情報に応じて時間領域及び周波数領域において多重化してダウンリンクチャンネルとして生成した後、上記Ｍ−ポイントＩＦＦＴ器１０２３に出力する。
【０１３４】
上記Ｍ−ポイントＩＦＦＴ器１０２３は、上記多重化器１０２１から出力されたダウンリンクチャンネル信号を入力してＭ−ポイントＩＦＦＴを行った後、上記送信器１０２５に出力する。上記送信器１０２５は、上記Ｍ−ポイントＩＦＦＴ器１０２３から出力された信号を入力して送信処理して、すなわち、無線周波数（ＲＦ：RadioFrequency）処理してアンテナを介してエア上で送信する。
【０１３５】
図１０においては、本発明の実施の形態に係るＥＢ通信システムのＥＢ−ＢＳ送信装置構造について述べている。次に、図１１を参照して本発明の実施の形態に係るＥＢ通信システムのＥＢ−ＢＳ受信装置構造について説明する。
【０１３６】
図１１は、本発明の実施の形態に係るＥＢ通信システムのＥＢ−ＢＳ受信装置構造を概略的に示す図である。
【０１３７】
図１１を参照すると、上記ＥＢ−ＢＳ受信装置は、ＲＦ受信器１１１１と、Ｍ−ポイントＦＦＴ器１１１３と、逆多重化器１１１５を備える。
【０１３８】
まず、上記ＲＦ受信器１１１１は、アンテナを介して受信される無線周波数信号を受信処理して、すなわち、無線周波数信号を基底帯域信号として処理した後、上記Ｍ−ポイントＦＦＴ器１１１３に出力する。Ｍ−ポイントＦＦＴ器１１１３は、上記受信器１１１１から出力された信号を時間領域及び周波数領域において逆多重化してＳＣＨ、すなわち、ＮＢ−ＳＣＨ及びＮＢ−ＤＳＣＨを含むＥＢ−ＳＣＨと、ＲＡＣＨ、すなわち、ＮＢ−ＲＡＣＨ及びＮＢ−ＤＲＡＣＨを含むＥＢ−ＲＡＣＨと、ＵＬ−ＴＣＨ、すなわち、ＮＢ−ＴＣＨとＮＢ−ＤＴＣＨを含むＥＢ−ＴＣＨと、ＵＬ−ＣＣＨ、すなわち、ＮＢ−ＣＣＨ及びＮＢ−ＤＣＣＨを含むＥＢ−ＣＣＨに出力する。ここで、図７を参照して述べたように、ＮＢ−ＣＣＨは、ＮＢ−ＲＲＣＨと、ＮＢ−ＣＱＩＣＨと、ＮＢ−ＡＮＣＨと、ＮＢ−ＨＲＣＨと、を含み、上記ＮＢ−ＤＣＣＨは、ＮＢ−ＤＲＲＣＨと、ＮＢ−ＤＣＱＩＣＨと、ＮＢ−ＤＡＮＣＨと、ＮＢ−ＤＨＲＣＨと、を含む。
【０１３９】
図１１においては、本発明の実施の形態に係るＥＢ通信システムのＥＢ−ＢＳ受信装置構造について述べている。次に、図１２を参照して本発明の実施の形態に係るＥＢ通信システムのＥＢ−ＭＳ送信装置構造について説明する。
【０１４０】
図１２は、本発明の実施の形態に係るＥＢ通信システムのＥＢ−ＭＳ送信装置構造を示す図である。
【０１４１】
図１２を参照すると、上記ＥＢ−ＭＳ送信装置は、ＳＣＨ生成器１２１１と、ＲＡＣＨ生成器１２１３と、ＵＬ−ＴＣＨ生成器１２１５と、ＵＬ−ＣＣＨ生成器１２１７と、多重化器１２１９と、Ｍ−ポイントＩＦＦＴ器１２２１と、送信器１２２３と、を備える。
【０１４２】
まず、上記ＳＣＨ生成器１２１１は、ＳＣＨ、すなわち、ＮＢ−ＳＣＨと、保護帯域信号と、ＮＢ−ＤＳＣＨを含むＥＢ−ＳＣＨを生成した後、上記多重化器１２１９に出力する。上記ＲＡＣＨ生成器１２１３は、ＲＡＣＨ、すなわち、ＮＢ−ＲＡＣＨと、ＮＢ−ＤＲＡＣＨを含むＥＢ−ＲＡＣＨを生成して上記多重化器１２１９に出力する。上記ＵＬ−ＴＣＨ生成器１２１５は、ＵＬ−ＴＣＨ、すなわち、ＮＢ−ＴＣＨ及びＮＢ−ＤＴＣＨを含むＥＢ−ＴＣＨを生成して上記多重化器１２１９に出力する。上記ＵＬ−ＣＣＨ生成器１２１７は、ＵＬ−ＣＣＨ、すなわち、ＮＢ−ＣＣＨ及びＮＢ−ＤＣＣＨを含むＥＢ−ＣＣＨを生成して上記多重化器１２１９に出力する。ここで、図７を参照して述べたように、ＮＢ−ＣＣＨは、ＮＢ−ＲＲＣＨと、ＮＢ−ＣＱＩＣＨと、ＮＢ−ＡＮＣＨと、ＮＢ−ＨＲＣＨと、を含み、上記ＮＢ−ＤＣＣＨは、ＮＢ−ＤＲＲＣＨと、ＮＢ−ＤＣＱＩＣＨと、ＮＢ−ＤＡＮＣＨと、ＮＢ−ＤＨＲＣＨと、を含む。
【０１４３】
さらに、図１２においては、ＳＣＨ生成器１２１１と、ＲＡＣＨ生成器１２１３と、ＵＬ−ＴＣＨ生成器１２１５と、ＵＬ−ＣＣＨ生成器１２１７と、がいずれもＥＢ通信システムを支援するために上記ＥＢ通信システムにおいて使用可能な全てのチャンネルを生成する場合を一例として述べている。、上記ＥＢ通信システムの制御によって該当チャンネルを生成可能であることは言うまでもない。すなわち、例えば、上記ＲＡＣＨ生成器１２１３は、ＥＢ−ＢＳにおいてＮＢ−ＲＡＣＨを介してランダムアクセスを行うことを許諾した場合、上記ＮＢ−ＲＡＣＨのみを生成して出力する。
【０１４４】
図１２においては、本発明の実施の形態に係るＥＢ通信システムのＥＢ−ＭＳ送信装置構造について述べている。次に、図１３を参照して本発明の実施の形態に係るＥＢ通信システムのＥＢ−ＭＳ受信装置構造について説明する。
【０１４５】
図１３は、本発明の実施の形態に係るＥＢ通信システムのＥＢ−ＭＳ受信装置構造を概略的に示す図である。
【０１４６】
図１３を参照すると、上記ＥＢ−ＭＳ受信装置は、受信器１３１１と、Ｍ−ポイントＦＦＴ器１３１３と、逆多重化器１３１５と、を備える。
【０１４７】
まず、上記受信器１３１１は、アンテナを介して受信される無線周波数信号を受信処理して、すなわち、無線周波数信号を基底帯域信号として処理した後、上記Ｍ−ポイントＦＦＴ器１３１３に出力する。Ｍ−ポイントＦＦＴ器１３１３は、上記受信器１３１１から出力された信号を時間領域及び周波数領域において逆多重化してＰＣＨ、すなわち、ＮＢ−ＰＣＨ及びＮＢ−ＤＰＣＨを含むＥＢ−ＰＣＨと、ＰＩＣＨ、すなわち、ＮＢ−ＰＩＣＨと、保護帯域信号と、ＮＢ−ＤＰＩＣＨを含むＥＢ−ＰＩＣＨと、ＤＬ−ＴＣＨ、すなわち、ＮＢ−ＴＣＨ及びＮＢ−ＤＴＣＨを含むＥＢ−ＴＣＨと、ＤＬ−ＣＣＨ、すなわち、ＮＢ−ＣＣＨ及びＮＢ−ＤＣＣＨを含むＥＢ−ＣＣＨに出力する。ここで、上記ＮＢ−ＣＣＨは、図６を参照して述べたように、ＮＢ−ＡＧＣＨと、ＮＢ−ＤＬ−ＭＡＰＣＨと、ＮＢ−ＵＬ−ＭＡＰＣＨと、ＮＢ−ＣＱＩＣＨと、ＮＢ−ＷＵＣＨを含み、上記ＮＢ−ＤＣＣＨは、ＥＢ−ＮＢ−ＡＰＣＨと、ＮＢ−ＤＤＬ−ＭＡＰＣＨと、ＮＢ−ＤＵＬ−ＭＡＰＣＨと、ＮＢ−ＤＣＱＩＣＨと、ＮＢ−ＤＷＵＣＨを含む。
【０１４８】
また、図１３においては、上記ＥＢ−ＭＳ受信装置がＥＢ通信システムを支援するために上記ＥＢ通信システムにおいて使用可能な全てのチャンネルを受信する場合を一例として述べている。上記ＥＢ通信システムの制御によって該当チャンネルを選択的に受信可能であることは言うまでもない。すなわち、例えば、上記ＥＢ−ＭＳ受信装置は、上記上記ＥＢ−ＢＳの制御によってＮＢ−ＴＣＨのみを受信するか、若しくは、ＮＢ−ＤＴＣＨのみを受信するか、若しくは、ＮＢ−ＴＣＨ及びＮＢ−ＤＴＣＨの両方を受信することができる。
【０１４９】
一方、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【０１５０】
【図１】本発明の実施の形態に係る周波数オーバーレイ通信システムにおける周波数割当て動作を概略的に示す図。
【図２】本発明の実施の形態に係るＥＢ通信システムに用いられる送受信機モジュールの一例を概略的に示す図。
【図３】本発明の実施の形態に係るＥＢ通信システムに用いられる送受信機モジュールの別の例を概略的に示す図。
【図４】本発明の実施の形態に係るＥＢ通信システムのダウンリンクフレーム構造を概略的に示す図。
【図５】本発明の実施の形態に係るＥＢ通信システムのアップリンクフレーム構造を概略的に示す図。
【図６】本発明の実施の形態に係るＥＢ通信システムのダウンリンクチャンネル構造を示す図。
【図７】本発明の実施の形態に係るＥＢ通信システムのアップリンクチャンネル構造を示す図。
【図８】本発明の実施の形態に係るＥＢ通信システムにおいてＥＢ−ＭＳのセル取得ステップを示す手順図。
【図９Ａ】本発明の実施の形態に係るＥＢ通信システムにおいてＥＢ−ＭＳとＥＢ−ＢＳとの間のトラフィックデータ送受信ステップを示す手順図。
【図９Ｂ】本発明の実施の形態に係るＥＢ通信システムにおいてＥＢ−ＭＳとＥＢ−ＢＳとの間のトラフィックデータ送受信ステップを示す手順図。
【図１０】本発明の実施の形態に係るＥＢ通信システムのＥＢ−ＢＳ送信装置構造を示す図。
【図１１】本発明の実施の形態に係るＥＢ通信システムのＥＢ−ＢＳ受信装置構造を概略的に示す図。
【図１２】本発明の実施の形態に係るＥＢ通信システムのＥＢ−ＭＳ送信装置構造を示す図。
【図１３】本発明の実施の形態に係るＥＢ通信システムのＥＢ−ＭＳ受信装置構造を概略的に示す図。
【符号の説明】
【０１５１】
４００：ＮＢ通信システムダウンリンクフレーム
４３０：保護帯域
４５０：ＮＢ通信システム従属的なダウンリンクフレーム
４７０：ＥＢ通信システムダウンリンクフレーム
ＮＢ−ＴＣＨ：狭帯域トラフィックチャンネル
ＮＢ−ＰＩＣＨ：狭帯域パイロットチャンネル
ＮＢ−ＣＣＨ：狭帯域制御チャンネル
ＮＢ−ＤＰＩＣＨ：狭帯域従属的なパイロットチャンネル
ＮＢ−ＤＴＣＨ：狭帯域従属的なトラフィックチャンネル
ＮＢ−ＤＣＣＨ：狭帯域従属的な制御チャンネル
ＮＢ−ＤＰＣＨ：狭帯域従属的なプレアンブルチャンネル
ＮＢ−ＰＣＨ：狭帯域プレアンブルチャンネル
【図１】
2006304312.tif 000003
【図２】
2006304312.tif 000004
【図３】
2006304312.tif 000005
【図４】
2006304312.tif 000006
【図５】
2006304312.tif 000007
【図６】
2006304312.tif 000008
【図７】
2006304312.tif 000009
【図８】
2006304312.tif 000010
【図９Ａ】
2006304312.tif 000011
【図９Ｂ】
2006304312.tif 000012
【図１０】
2006304312.tif 000013
【図１１】
2006304312.tif 000014
【図１２】
2006304312.tif 000015
【図１３】
2006304312.tif 000016